(57)【特許請求の範囲】
【請求項１】
通信装置と、
上記通信装置が有する機能のうち少なくとも一部の機能を制御させる指示情報を、上記通信装置に送信する管理装置と、
上記管理装置と通信可能に接続されており、該管理装置と上記通信装置との通信を中継する中継装置と、
チケット情報を含む電子チケットを通信装置に送信する電子チケット発券装置と、を備えた機能管理システムであって、
上記電子チケット発券装置は、上記電子チケットに、上記中継装置との接続を確立させるための設定情報をさらに含めて通信装置に送信し、
上記管理装置が、上記中継装置に対して指示情報を送信しており、
上記通信装置が上記設定情報に応じて上記中継装置と接続を確立した場合、上記管理装置から送信される指示情報に基づき、当該通信装置が備える機能を制御することを特徴とする機能管理システム。
【請求項２】
上記中継装置は複数備えられており、
上記管理装置が、上記各中継装置に対してそれぞれ異なる指示情報を送信することを特徴とする請求項１に記載の機能管理システム。
【請求項３】
上記管理装置が、上記指示情報を記憶する管理記憶装置と、
上記管理記憶装置に記憶された指示情報の中から上記中継装置に送信すべき指示情報を選択する選択手段とを備えていることを特徴とする請求項１または２に記載の機能管理システム。
【請求項４】
上記管理装置が、外部から入力された、選択される指示情報を示す選択情報を受け付ける入力受付手段をさらに備え、
上記選択手段が、上記入力受付手段によって受け付けられた選択情報に基づき、選択する指示情報を変更することを特徴とする請求項３に記載の機能管理システム。
【請求項５】
上記選択手段が、選択する指示情報を時間に応じて変更することを特徴とする請求項３または４に記載の機能管理システム。
【請求項６】
上記記憶装置は、指示情報と指示情報を送信する期間との対応関係を示す指示情報送信テーブルをさらに記憶しており、
上記選択手段は、上記指示情報送信テーブルを参照して、所定の期間ごとに送信すべき指示情報を選択することを特徴とする請求項５に記載の機能管理システム。
【請求項７】
当該通信装置が有する機能の少なくとも１つを制御させる指示情報を保持する管理装置と、中継装置を介して、通信を行う通信装置であって、
チケット情報とともに上記中継装置との接続を確立させるための設定情報を含む電子チケットを送信する電子チケット発券装置と通信を行う第２通信手段と、
上記第２通信手段によって電子チケット発券装置から取得した電子チケットを通信記憶装置に格納する電子チケット管理手段と、
上記電子チケット管理手段により上記通信記憶装置に格納された電子チケットから設定情報を抽出する抽出手段と、
上記抽出手段により抽出した設定情報に基づき中継装置との接続を確立させる第１通信手段と、
上記第１通信手段によって接続を確立した中継装置を介して上記管理装置から取得した指示情報に基づき、当該通信装置が有する機能の少なくとも１つを制御する機能制御手段とを備えることを特徴とする通信装置。
【請求項８】
上記機能制御手段によって制御された機能の状態変化を示す情報を通知する通知手段をさらに備えることを特徴とする請求項７に記載の通信装置。
【請求項９】
上記機能制御手段は、上記中継装置との通信が確立できない場所では、当該通信装置が備える機能の全てを停止させ、通信が確立できる場所では上記指示情報に基づいて、当該通信装置が備える機能を制御することを特徴とする請求項７または８に記載の通信装置。
【請求項１０】
上記停止する機能は、上記中継装置との通信とは異なる種類の通信を行う機能、カメラ機能、およびボイスレコーダ機能のうちの少なくとも１つの機能であることを特徴とする請求項９に記載の通信装置。
【請求項１１】
当該通信装置が有する機能の少なくとも１つを制御させる指示情報を保持する管理装置と、中継装置を介して、通信を行う通信装置の制御方法であって、
チケット情報とともに上記中継装置との接続を確立させるための設定情報を含む電子チケットを送信する電子チケット発券装置と通信を行う第２通信ステップと、
上記第２通信ステップにおいて電子チケット発券装置から取得した電子チケットを通信記憶装置に格納する電子チケット管理ステップと、
上記電子チケット管理ステップにおいて上記通信記憶装置に格納された電子チケットから設定情報を抽出する抽出ステップと、
上記抽出ステップにおいて抽出した設定情報に基づき、上記中継装置との接続を確立する第１通信ステップと、
上記第１通信ステップにおいて、接続を確立させた中継装置を介して上記管理装置から取得した指示情報に基づき、当該通信装置が有する機能の少なくとも１つを制御する機能制御ステップとを含むことを特徴とする通信装置の制御方法。
【請求項１２】
請求項７から１０のいずれか１項に記載の通信装置の制御プログラムであって、コンピュータを第１通信手段、第２通信手段、電子チケット管理手段、情報抽出手段、機能制御手段、および通知手段として機能させるための通信装置の制御プログラム。
【請求項１３】
請求項１２に記載の通信装置の制御プログラムを記録したコンピュータが読み取り可能な記録媒体。
【請求項１４】
通信装置と、
上記通信装置と他の装置との通信を確立するための基地局と、
通信ネットワークを通じて上記基地局と通信可能に接続されており、上記基地局と上記通信装置との通信を中継する中継装置と、
チケット情報を含む電子チケットを上記基地局を介して通信装置に送信する電子チケット発券装置と、を備えた機能管理システムであって、
上記電子チケット発券装置は、上記電子チケットに、上記中継装置との接続を確立させるための設定情報と、接続先となる中継装置に応じて決められている、上記通信装置が有する機能のうち少なくとも一つ以上の機能を制御させるための指示情報を含めて通信装置に送信しており、
上記通信装置が上記設定情報に応じて上記中継装置と接続を確立した場合、この接続を確立した中継装置に応じた上記指示情報に基づき、当該通信装置が備える機能を制御することを特徴とする機能管理システム。
【請求項１５】
通信ネットワークと通信可能に接続されている複数の中継装置のうち、いずれかの中継装置と接続を確立するとともに、チケット情報を含む電子チケットを電子チケット発券装置から受信する、通信装置であって、
上記中継装置は、自身を特定する識別情報を送信しており、
上記電子チケット発券装置は、上記中継装置との接続が確立した場合に、該中継装置に応じて決められている、通信装置が備える機能のうち少なくとも１つ以上の機能を制御させるための指示情報を、上記電子チケットにさらに含めて通信装置に送信しており、
上記中継装置と接続を確立させる第１通信手段と、
上記電子チケット発券装置と通信を行う第２通信手段と、
上記電子チケット発券装置から上記第２通信手段によって取得した電子チケットを通信記憶装置に格納する電子チケット管理手段と、
上記電子チケット管理手段によって通信記憶装置に格納された電子チケットから指示情報を抽出する情報抽出手段と、
上記第１通信手段により中継装置から上記識別情報を受信すると、この識別情報に応じた指示情報を通信記憶装置から取得するように上記情報抽出手段に指示する指示情報取得手段と、
上記情報抽出手段によって抽出された指示情報に基づき、当該通信装置が備える機能を制御する機能制御手段とを備えることを特徴とする通信装置。
【請求項１６】
上記中継装置は、自身を特定する識別情報を繰り返し送信しており、
当該通信装置が上記中継装置の通信可能な範囲内に存在する場合、上記指示情報取得手段は、上記中継装置から上記識別情報を受信することを特徴とする請求項１５に記載の通信装置。
【請求項１７】
上記指示情報取得手段は、接続を確立した中継装置から該中継装置の識別情報を受信することを特徴とする請求項１５に記載の通信装置。
【請求項１８】
上記機能制御手段によって制御された機能の状態変化を示す情報を通知する通知手段をさらに備えることを特徴とする請求項１５から１７のうちいずれか１項に記載の通信装置。
【請求項１９】
上記通信装置が備える機能は、上記中継装置との通信とは異なる種類の通信を行う機能、カメラ機能、およびボイスレコーダ機能のうちの少なくとも１つであることを特徴とする請求項１５から１８のうちいずれか１項に記載の通信装置。
【請求項２０】
通信ネットワークと通信可能に接続されている複数の中継装置のうちいずれかと接続を確立するとともに、チケット情報を含む電子チケットを電子チケット発券装置から受信する、通信装置の制御方法であって、
上記中継装置は、自身を特定する識別情報を送信しており、
上記電子チケット発券装置は、上記中継装置との接続が確立した場合に、該中継装置に応じて決められている、通信装置が備える機能のうち少なくとも１つ以上の機能を制御させるための指示情報を、上記電子チケットにさらに含めて通信装置に送信しており、
上記中継装置と通信を行う第１通信ステップと、
上記電子チケット発券装置と通信を行う第２通信ステップと、
上記第２通信ステップにおいて、上記電子チケット発券装置から取得した電子チケットを通信記憶装置に格納する格納ステップと、
上記第１通信ステップにおいて、中継装置から上記識別情報を受信すると、この識別情報に応じた指示情報を通信記憶装置に格納された電子チケットから取得するように指示する指示ステップと、
この指示ステップでの指示に応じて、上記通信記憶装置に格納された電子チケットから指示情報を抽出する抽出ステップと、
上記抽出ステップにおいて抽出された指示情報に基づき、当該通信装置が備える機能を制御する制御ステップとを含むことを特徴とする通信装置の制御方法。
【請求項２１】
請求項１５〜１９のいずれか１項に記載の通信装置と、通信ネットワークと通信可能に接続されている複数の中継装置とを備えていることを特徴とする機能管理システム。
【請求項２２】
請求項１５〜１９のいずれか１項に記載の通信装置の制御プログラムであって、コンピュータを第１通信手段、第２通信手段、情報抽出手段、指示情報取得手段、機能制御手段、および通知手段として機能させるための通信装置の制御プログラム。
【請求項２３】
請求項２２に記載の通信装置の制御プログラムを記録したコンピュータが読み取り可能な記録媒体。
【発明の詳細な説明】
【技術分野】
【０００１】  本発明は、携帯電話などの多機能な通信装置が有する機能を制限する機能管理システム、管理装置、中継装置、通信装置、通信装置の制御方法、通信装置の制御プログラムおよびそれを記録したコンピュータ読み取り可能な記録媒体に関するものである。
【背景技術】
【０００２】  現在、ＦｅｌｉＣａ（登録商標）搭載の携帯電話機等のように、非接触ＩＣを搭載した携帯通信装置が発表されている。そして、このような非接触ＩＣを搭載した携帯通信装置を用いた電子チケットシステムとして、電車の切符を電子チケットとし、自動券売機または公衆回線網を通じて携帯電話機に搭載された非接触ＩＣに書き込み、その非接触ＩＣと自動改札機とのデータ通信によって電子チケットを確認し、自動改札機のゲートを開くようにしたものが提案されている（特許文献１：特開２００２−９２６７１号公報（公開日：平成１４年３月２９日））。【０００３】  また、非接触ＩＣを搭載した携帯通信装置を用いたゲートシステムとして、ゲートを通過したことを携帯通信装置が認識したときに、公衆回線網との接続を行うための無線部への電力供給を停止し、電車内や病院内等のように他人に迷惑がかかるような場所において、電話機能やメール機能を停止させるようにしたものが提案されている（特許文献２：特開平１０−１９１４５４号公報（公開日：平成１０（１９９８）年７月２１日））。【０００４】  近年、携帯電話機の電波による医療機器への影響や、周囲の人に対する騒音が問題となっており、さらにカメラ付き携帯電話機による映画館やコンサート会場での盗撮や盗聴なども問題となっている。しかし、現状では、所有者が自主的に携帯電話機などの電源を切るしか対処の方法がなく、実際には、あまりマナーが守られていない。【０００５】  上述したゲートシステム（特許文献２）によれば、管理者側で電話機能やメール機能を停止させることができるため、携帯電話機の電波による医療機器への影響、周囲の人に対する騒音問題を解決することができる。しかしながら、カメラ付き携帯電話機による映画館やコンサート会場での盗撮や盗聴の問題を解決することはできない。また、ゲート内では常に電話機能やメール機能が停止されるため、例えば、コンサート会場内で待ち合わせする場合や迷子になった場合に連絡を取ることができないといった問題点があった。【０００６】  以上のように、携帯電話機等にかかる医療機器への影響、周囲の人に対する騒音、映画館やコンサート会場での盗撮や盗聴などの問題を、使い勝手の低下を抑制しつつ解決することが求められていた。
【発明の開示】
【０００７】  本発明は、上記の問題点に鑑みてなされたものであり、その目的は、場所に応じて通信装置が有する機能を柔軟に制御することができる機能管理システム、管理装置、中継装置、通信装置、通信装置の制御方法、通信装置の制御プログラムおよびそれを記録したコンピュータが読取り可能な記録媒体を実現することにある。
【０００８】  上記の目的を達成するために、本発明に係る機能管理システムは、通信装置と、上記通信装置が有する機能のうち少なくとも一部の機能を制御させる指示情報を、上記通信装置に送信する管理装置と、上記管理装置と通信可能に接続されており、該管理装置と上記通信装置との通信を中継する中継装置とを備えたシステムであって、上記管理装置が、上記中継装置に対して指示情報を送信しており、上記通信装置が上記中継装置と接続を確立した場合、上記管理装置から送信される指示情報に基づき、当該通信装置が備える機能を制御することを特徴としている。
【０００９】  なお、上記指示情報とは、例えば、通信装置が有する機能のうちいずれの機能について停止もしくは再開させるかなど指示する情報である。
【００１０】  上記の構成によれば、管理装置は、中継装置に対して指示情報を送信するため、中継装置と接続可能な範囲にある通信装置は、この指示情報を受信することになる。すなわち、中継装置と接続が可能な範囲にある通信装置全てが、管理装置から送信される指示情報に基づき、当該通信装置が有する少なくとも１つ以上の機能が制御されることとなる。なお、この制御とは、例えば、通信装置が有する機能のうち、少なくともいずれか１つを停止、再開させることが含まれる。
【００１１】  このため、本発明に係る機能管理システムでは、通信装置が有する機能を制限させたい場所に上記中継装置を設けることで、上記通信装置が有する機能を適切に制限することができる。
【００１２】  したがって、本発明に係る機能管理システムは、場所に応じて通信装置が有する機能を柔軟に制御することができる。
【００１３】  また、本発明に係る通信装置は、上記の目的を達成するために、当該通信装置が有する機能の少なくとも１つを制御させる指示情報を保持する管理装置と通信を行う第１通信手段と、上記第１通信手段によって取得した指示情報に基づき、当該通信装置が有する機能の少なくとも１つを制御する機能制御手段と、上記機能制御手段によって制御された機能の状態変化を示す情報を通知する通知手段とを備えることを特徴としている。
【００１４】  上記構成によると、上記通信装置は、通知手段を備えているため制御された機能の状態変化を通信装置の所有者に知らせることができる。
【００１５】  したがって、上記所有者は、通信装置が有する機能の制御の状態が変更された場合であっても、変更に伴って使用できる機能について把握することができる。
【００１６】  また、本発明に係る通信装置は、上記の目的を達成するために、通信ネットワークと通信可能に接続されている複数の中継装置のうち、いずれかの中継装置と接続を確立する通信装置であって、上記中継装置は、自身を特定する識別情報を送信しており、当該通信装置が備える機能のうち少なくとも１つを制御させる指示情報と、上記中継装置を識別する識別情報とを互いに対応づけて記憶する通信記憶装置と、接続先の中継装置から受信した識別情報に基づき、上記通信記憶装置から指示情報を取得する指示情報取得手段と、上記指示情報取得手段によって取得された指示情報に基づき、当該通信装置が備える機能を制御する機能制御手段とを備えることを特徴としている。
【００１７】  上記構成によれば、上記通信装置では、通信記憶装置に中継装置を識別する識別情報と指示情報とを対応づけて記憶している。このため、上記指示情報取得手段は、接続先の中継装置から受信した当該中継装置を特定する識別情報に対応する指示情報を上記通信記憶装置から取得することができる。また、機能制限手段を備えているため、上記取得した指示情報に基づき、通信装置が有する機能を制御することができる。
【００１８】  したがって、上記通信装置は、接続先の中継装置ごとに応じて、自装置が備える機能を停止または再開させるなど、該機能が制御される状態を変更することができる。
【００１９】  このため、上記通信装置は、上記中継装置が設けられている場所に応じて、自装置の機能が制御される状態を変更することができる。
【００２０】  よって、通信装置は、場所に応じて通信装置が有する機能を柔軟に制御することができる。
【００２１】  また、本発明に係る通信装置の制御方法は、上記の目的を達成するために、通信ネットワークと通信可能に接続されている複数の中継装置のうちいずれかと接続を確立して上記通信ネットワークを通じて他の通信装置と通信可能となる通信装置の制御方法であって、上記中継装置は、自身を特定する識別情報を送信しており、当該通信装置が備える機能のうち少なくとも１つを制御させる指示情報と、接続先の中継装置を識別する識別情報とを互いに対応づけて記憶する記憶ステップと、接続先の中継装置から識別情報を受信する識別情報受信ステップと、識別情報受信ステップにおいて受信した識別情報に基づき、上記指示情報を取得する指示情報取得手段と、上記指示情報取得手段によって取得された指示情報に基づき、当該通信装置が備える機能を制御する制御ステップとを含むことを特徴としている。
【００２２】  したがって、上記通信装置の制御方法は、接続先の中継装置ごとに応じて、自装置が備える機能を停止または再開するなど制御する状態を変更することができる。
【００２３】  このため、上記通信装置の制御方法は、上記中継装置が設けられている場所に応じて、自装置の機能が制御される状態を変更することができる。
【００２４】  よって、本発明に係る通信装置の制御方法は、場所に応じて通信装置が有する機能を柔軟に制御することができる。
【００２５】  また、本発明に係る機能管理システムは、上記の目的を達成するために、上記通信装置と、通信ネットワークと通信可能に接続されている複数の中継装置とを備えていることを特徴としている。
【００２６】  よって、本発明に係る機能管理システムは、場所に応じて通信装置が有する機能を柔軟に制御することができる。
【００２７】  本発明のさらに他の目的、特徴、および優れた点は、以下に示す記載によって十分に理解されるであろう。また、本発明の利益は、添付図面を参照した次の説明で明白になるであろう。
【図面の簡単な説明】
【００２８】
【図１】図２に示した携帯通信装置の主制御部の機能制限に関わる詳細を示す機能ブロック図である。
【図２】本発明の一実施の形態である電子チケットシステムの概略構成を示す説明図である。
【図３】本発明の一実施の形態である電子チケットシステムを構成する携帯通信装置の構成を示すブロック図である。
【図４】電子チケットに含まれる情報の一例を示す図である。
【図５】機能制限情報として機能制限管理装置から送信されるデータの一例を示す説明図である。
【図６】機能制限情報として機能制限管理装置から送信されるデータの一例を示す説明図である。
【図７】機能制限情報として機能制限管理装置から送信されるデータの一例を示す説明図である。
【図８】機能制限情報として機能制限管理装置から送信されるデータの一例を示す説明図である。
【図９】本発明の一実施の形態である電子チケットシステムを構成する携帯通信装置が備える各種機能の停止または再開処理を説明するフローチャートである。
【図１０】本発明の別の実施形態に係る電子発券システムの概略構成の一例を示す図である。
【図１１】電子チケットに含まれる情報の一例を示す図である。
【図１２】機能制限情報に含まれる情報の一例を示す図である。
【図１３】本発明の別の実施の形態である電子チケットシステムを構成する携帯通信装置のハードウェア構成を示すブロック図である。
【図１４】図１３に示した携帯通信装置の主制御部の機能制限に関わる詳細を示す機能ブロック図である。
【図１５】本発明の別の実施の形態である電子チケットシステムを構成する携帯通信装置が備える各種機能の停止または再開処理を説明するフローチャートである。
【図１６】本発明の一実施の形態である電子チケットシステムを構成する機能制限管理装置の構成を示すブロック図である。
【図１７】本発明の一実施の形態である電子チケットシステムを構成する機能制限管理装置が保持する機能制限情報管理テーブルの一例を示す図である。
【図１８】本発明の別の実施の形態である電子チケットシステムを構成する携帯通信装置が備える各種機能の停止または再開処理の別の一例を説明するフローチャートである。
【発明を実施するための最良の形態】
【００２９】  本発明の一実施の形態について図１から図５ならびに図１６および図１７に基づいて説明すれば、以下のとおりである。【００３０】  図２は、本発明の一実施の形態である電子チケットシステム（機能管理システム）５００の構成を示す説明図である。【００３１】  図２に示すように、電子チケットシステム５００は、携帯通信装置（通信装置）６００、電子チケット発券装置１００、接続管理サーバ２００、機能制限管理装置（管理装置）３００、無線ＬＡＮアクセスポイント（ａｃｃｅｓｓ  ｐｏｉｎｔ；ＡＰ）（中継装置）４００ａ〜４００ｃを備えて構成されている。なお、上記ＡＰ４００ａ〜４００ｃを特に区別して説明する必要がある場合以外は、ＡＰ４００と称する。【００３２】  電子チケット発券装置１００と接続管理サーバ２００とは、ＬＡＮ５０１を介して接続されている。また、機能制限管理装置（管理装置）３００と接続管理サーバ２００とも、ＬＡＮ５０１を介して接続されている。電子チケット発券装置１００と基地局５１１とは、接続管理サーバ２００を介して、インターネット網５１３および電話回線網５１２を通じて基地局５１１と通信可能となっている。そして、携帯通信装置６００と電子チケット発券装置１００とは、この基地局５１１を介して通信可能となっている。【００３３】  つまり、この電子チケットシステム５００では、電子チケット発券装置１００が電子チケットを発行する。携帯通信装置６００が電子チケット発券装置１００で発行された電子チケットを受信する。また、携帯通信装置６００と機能制限管理装置３００とは、該携帯通信装置６００が後述する無線ＬＡＮの設定を行い、ＡＰ４００の電波が届く範囲にある場合、このＡＰ４００を介して、無線により通信可能となる。【００３４】  すなわち、携帯通信装置６００は、ＡＰ４００からの電波が届く範囲で機能制限管理装置３００と、このＡＰ４００を介して通信を行うことができる。いうなれば、機能制限管理装置３００との通信は、ＡＰ４００が設けられている、限られたエリアに上記携帯通信装置６００があることで実現できる。【００３５】  なお、上記電子チケット発券装置１００は、電子チケットを購入した際に携帯通信装置６００の電話番号やメールアドレス、機器ＩＤ等の該携帯通信装置６００を特定する情報が記憶される。そして、この記憶された情報は、該携帯通信装置６００が購入した電子チケットの内容と関連づけられて記憶されている。【００３６】  このように、電子チケット発券装置１００が携帯通信装置６００を特定する情報を記憶することによって、電子チケットの販売先である携帯通信装置６００を確認することができる。また、予定されていた公演が順延になるなど電子チケットの内容に変更が生じた場合、電子チケット発券装置１００は、この電話番号やメールアドレスを用いて、電子チケットを購入した携帯通信装置６００と接続し、電子チケットの情報を変更することができる。【００３７】  このように、本実施の形態に係る電子チケットシステム５００では、電子チケット発券装置１００が、ユーザが利用する施設に備えられているＡＰ４００と接続を確立するために必要な無線ＬＡＮの設定情報（無線ＬＡＮ設定情報９２）を含む電子チケ���トを発行する。一方、電子チケットの発行を受けた後、上記携帯通信装置６００は、上記無線ＬＡＮ設定情報９２に基づいて、無線によるＡＰ４００との接続を確立し、接続管理サーバ２００を介して通信が行われるようになる。また、上記携帯通信装置６００は、上記した無線ＬＡＮの設定が行われた後、機能制限管理装置３００からの送信される機能制限情報（指示情報）７０に応じて、上記基地局５１１との接続が行えないように設定される。【００３８】  このため、上記無線ＬＡＮの設定を行った後、上記携帯通信装置６００は、ＡＰ４００を介して行われる無線通信のみが可能となる。【００３９】  なお、携帯通信装置６００としては、例えば、携帯電話機、カメラ付き携帯電話機、ボイスレコーダ付き携帯電話機などが利用できる。【００４０】  接続管理サーバ２００は、チケット発券装置１００とインターネット網５１３との接続、または機能制限管理装置３０２とＡＰ４００ａ〜ＡＰ４００ｃそれぞれとの接続、ＡＰ４００ａ〜ＡＰ４００ｃそれぞれとインターネット網５１３との接続などを管理する。なお、ＡＰ４００ａ〜ＡＰ４００ｃそれぞれとインターネット網５１３との接続は、機能制限管理装置３００の指示に応じて接続管理サーバ２００が制御する。【００４１】  機能制限管理装置３００は、ＡＰ４００と接続を確立している携帯通信装置６００に対して、該携帯通信装置６００が備える機能のうち少なくとも１つの機能を停止させるように指示（制限）する情報（機能制限情報７０）を含むパケットを生成する。そしてこの機能制限情報７０を含むパケットを、ＡＰ４００を介して携帯通信装置６００に送信する。また、携帯通信装置６００は、受信した機能制限情報７０に基づき、自装置が有する機能のうち少なくとも１つの機能を停止させる。なお、この機能制限管理装置３００は、携帯通信装置６００が例えば施設の入り口に備えられたＡＰ４００との接続を確立することを確認したら、少なくとも基地局５０１を介して行われる通信機能に関して停止するように指示する、機能制限情報７０を含むパケットを携帯通信装置６００に対して送信する。【００４２】  （機能制限管理装置の構成）
ここで、図１６および図１７に基づいて機能制限管理装置３００の概略構成について説明する。図１６は、本実施の形態に係る機能制限管理装置３００の概略構成を示すブロック図である。【００４３】  図１６に示すように、機能制限管理装置３００は、出力制御部６０、入力指示部（入力受付手段）６１、選択制御部（選択手段）６２、計時装置６３、および記憶部（管理記憶装置）６４を備え、構成される。そして、記憶部６４は、機能制限情報７０および機能制限情報管理テーブル７１を含んでいる。【００４４】  入力指示部６１は、ユーザなど外部からの機能制限情報７０の送信指示を受け付けるものであり、例えばユーザから、機能制限情報７０の送信指示を受信すると、この指示を選択制御部６２に通知する。また、上記選択制御部６２は、記憶部６４から機能制限情報７０の中から機能制限情報７０を選択し取得するものであり、選択制御部６２は、取得した機能制限情報７０を出力制御部に送信する。なお、選択制御部６２は、この機能制限情報７０の選択を、入力指示部６１から送信された例えばユーザの指示に応じて行ってもよいし、計時装置６３によって提供される時間情報と機能制限情報管理テーブル７１とに基づき、所望される機能制限情報７０を記憶部６４から選択してもよい。【００４５】  記憶部６４に含まれる機能制限管理テーブル７１は、機能制限管理装置３００から携帯通信装置６００に送信される機能制限情報７０と、当該機能制限情報７０を送信するタイミング（期間）との対応関係を示すものである。具体的には、例えば、図１７に示すように、機能制限管理装置３００から機能制限情報７０が送信される期間と、この期間において送信される機能制限情報７０についての対応関係が記録される。なお、図１７に示す機能制限情報管理テーブル７１のデータ構造は一例であって、機能制限情報の送信時間と送信される機能制限情報との格納形式はそれに限定されない。【００４６】  また、図１６は、機能制限管理装置３００におけるハードウェア構成を示しているが、出力制御部６０、入力指示部６１、および選択制御部６２はソフトウェアによって実現されていてもよい。これら各部がソフトウェアによって実現される場合、不図示のＣＰＵが、不図示のＲＯＭ（Ｒｅａｄ  ｏｎｌｙ  ｍｅｍｏｒｙ）などからプログラムを、ＲＡＭ（Ｒａｎｄｏｍ  ａｃｃｅｓｓ  ｍｅｍｏｒｙ）などに読み出し実行することで実現できる。【００４７】  （携帯通信装置のハードウェア構成）
次に、図３を参照して携帯通信装置６００のハードウェア構成を説明する。なお、この図３は、電子チケットシステム５００を構成する携帯通信装置６００のハードウェア構成を示すブロック図である。【００４８】  図３に示すように、携帯通信装置６００は、第１アンテナ１、無線部（第２通信手段）２、通信制御部３、信号処理部４、スピーカ５、マイク６、撮像部７、発光部８、画像処理部９、第１メモリ（通信記憶装置）１０、表示ドライバ１１、表示部１２、第２メモリ（通信記憶装置）１３、操作部１４、第２アンテナ１５、無線ＬＡＮ制御部（第１通信手段）１７、主制御部１８を備えて構成されている。【００４９】  ここで、第１メモリ１０は、バッファ的な役割を果たすものであり、第２メモリ１３は、フラッシュメモリのように恒久的にデータを蓄積する役割を果たすものである。なお、携帯通信装置６００の記憶装置（通信記憶装置）である第１メモリ１０および第２メモリ１３は、携帯通信装置６００の仕様に応じて構成を適宜変更可能であり、例えば、一体として設けてもよい。【００５０】  そして、このように構成された携帯通信装置６００は、以下のように、通話機能、ボイスレコード機能、メール機能、カメラ機能などを有している。【００５１】  まず、携帯通信装置６００では、通信制御部３による送受信制御のもとに、無線部２が第１アンテナ１を介して基地局５１１との信号の送受信を行い、信号処理部４が無線部２で送受信される信号に所定の信号処理を施す。これによって、基地局５１１を介して相手側装置から送信されてくる音声をスピーカ５から出力したり、マイク６から入力される音声を、基地局５１１を介して相手側装置に送信したりするようになっている。すなわち、いわゆる通話機能が実現されている。【００５２】  また、電子チケットが発券された以後では、携帯通信装置６００が行う通信は、ＡＰ４００を介して行われるようになるため、上記した通話機能は以下のようにして実現される。【００５３】  すなわち、携帯通信装置６００では、無線ＬＡＮ制御部１７が第２アンテナ１５を介して、ＡＰ４００との接続を確立し、接続管理サーバ２００を介して、インターネット網５１３および電話回線網５１２を通じて基地局５１１との信号の送受信を行う。また、主制御部１８の指示の下に、信号処理部４が無線ＬＡＮ制御部１７で送受信される信号に所定の信号処理を施す。このようにして通話機能が実現される。【００５４】  また、携帯通信装置６００では、信号処理部４によって処理される音声データを、操作部１４からの操作指示に基づいて第２メモリ１３に格納することができる。これによって、通話機能とは関係なく、マイク６から入力される音声を音声データに変換して第２メモリ１３に格納するようになっている。すなわち、いわゆるボイスレコード機能が実現されている。【００５５】  また、携帯通信装置６００では、信号処理部４において、音声データのみではなく、電子メールやＷｅｂページなどのテキストデータや画像データやＨＴＭＬデータも同様に処理できる。そして、これら処理したデータを第１メモリ１０または第２メモリ１３に格納する。このとき、第１メモリ１０にデータを格納した場合、その格納したデータに基づ��て表示ドライバ１１が表示用の駆動信号を生成し、表示部１２が画像や文字等を表示する。これにより、受信メール・受信画像の表示やＷｅｂページの閲覧が可能となっている。また、逆の手順により、メールや画像の送信を行うことが可能となっている。すなわち、このような動作によって、いわゆるメール機能が実現されている。【００５６】  また、携帯通信装置６００は、ＣＣＤ（ｃｈａｒｇｅ  ｃｏｕｐｌｅｄ  ｄｅｖｉｃｅ）やＣＭＯＳによって構成された撮像部７および補助光源に用いられる発光部８を備え、撮像部７で撮影した画像を画像処理部９によって露出・画質などを調整した後、第１メモリ１０に格納し、上述と同様にして表示部１２に画像をプレビュー表示するようになっている。また、このプレビュー表示の状態で操作部１４を用いた操作指示に基づいて画像を第２メモリ１３に格納するようになっている。すなわち、このような動作によって、いわゆるカメラ機能が実現されている。【００５７】  また、携帯通信装置６００は、第２メモリ１３に、メールデータ・画像データ・音声データ・ＨＴＭＬデータのほか、電話帳データやスケジュール等の各種データを記憶するようになっている。また、操作部１４は、電話番号・文字・記号などの入力や各種機能の選択・起動・停止などの指示をユーザが行うことができるようになっている。【００５８】  また、電子チケットの発券を受けた後、携帯通信装置６００が上記第２メモリ１３に記憶されている、メールデータ・画像データ・音声データ・ＨＴＭＬデータ等を他の通話装置に送信する場合は、以下のようにして上記した各種データの送信が実現される。【００５９】  すなわち、上記した通話機能と同様に、上記第２メモリから上記データが主制御部１８によって読み出され、無線ＬＡＮ制御部１７に送信される。そして、無線ＬＡＮ制御部１７が、ＡＰ４００との接続を確立し接続管理サーバ２００を介して、インターネット網５１３および電話回路網５１２を通じて基地局５１１に上記データを送信する。このようにして、上記データの送信が行われる。【００６０】  なお、携帯通信装置６００は、中継装置４００を通してのみ通信をするような状態になったときに、当該携帯通信装置６００に対する外部からの通信要求は、携帯通信装置６００が現在実行している機能制限情報７０に基づき、機能制限管理装置３００によって制限される。たとえば、メール機能が禁止されている場合には、メールデータを機能制限管理装置３００が携帯通信装置６００に対して送信しない。もしくは、外部から見て、携帯通信装置６００は、圏外になっているようにみせても良い。さらに、そのメールデータを機能制限が解除された後に、機能制限管理装置３００が、そのメールデータもしくは、メールが到着したという通知のみを携帯通信装置６００に対して送信するという構成にしてもよい。上記は、メールの場合を書いたが、電話などの通話でも適用可能である。この場合は、機能制限管理装置３００が、留守番電話サービスを提供しても良い。【００６１】  （携帯通信装置のソフトウェア構成）
つづいて、図１を参照しながら、携帯通信装置６００における機能制限に関わるソフトウェア構成について説明する。なお、図１は、携帯通信装置６００の主制御部１８の機能制限に関わる詳細を示す機能ブロック図である。また、図４は、電子チケットに含まれる情報の一例を示す図である。図５〜図８それぞれは、機能制限情報７０として機能制限管理装置３００から送信されるデータの一例を示す説明図である。【００６２】  電子チケットシステム５００において、携帯通信装置６００は、特に、電子チケット管理部８１、情報抽出部８２、無線ＬＡＮ設定部（設定手段）８３、機能制限部（機能制御手段）８４、情報格納部９０、無線部２、無線ＬＡＮ制御部１７を備えて構成されている。なお、電子チケット管理部８１、情報抽出部８２、無線ＬＡＮ設定部８３、無線ＬＡＮ機能制限部８４は、ソフトウェアに基づき主制御部１８に実現される機能である。また、情報格納部９０は、電子チケット等の情報を格納するメモリであり、第２メモリ１３に対応する。【００６３】  電子チケット管理部８１は、電子チケット発券装置１００で発行された電子チケットを無線部２から取得して、情報格納部９０に電子チケット情報９１として格納する。また、電子チケット管理部８１は、電子チケット発券装置１００からの電子チケットの修正指示を無線部２から取得して、情報格納部９０に格納されている電子チケット情報９１を修正する。これにより、例えば、コンサートのプログラムの変更などを修正できる。【００６４】  情報抽出部８２は、情報格納部９０に格納されている電子チケット情報９１に含まれる無線ＬＡＮ設定情報９２を抽出する。また、無線ＬＡＮ制御部１７が受信した、機能制限管理装置３００からの機能制限情報パケットから機能制限情報７０を抽出する。【００６５】  無線ＬＡＮ設定部８３は、情報抽出部８２によって抽出された無線ＬＡＮ設定情報９２に基づいて、無線ＬＡＮ制御部１７の設定を行う。【００６６】  機能制限部８４は、情報抽出部８２によって抽出された機能制限情報７０に基づいて、携帯通信装置６００の機能のうち少なくとも１つを停止させる。また、無線ＬＡＮ設定部８３によってＡＰ４００との接続を確立するように設定が完了すると、機能制限管理装置３００から送信された機能制限情報７０に応じて、機能制御部８４に、第１アンテナ１を介して外部の他の通信装置との通信が確立しないように制限するように指示する。【００６７】  また、機能制限部８４は、停止させた機能を、再度機能制限管理装置３００から送信された機能制限情報７０に基づいて再開させたり、他の機能を停止させたりする。【００６８】  ここで、図４に示すように、電子チケット情報９１は、ユーザが利用を所望する施設に入場するためのチケット情報と、該施設に備えられたＡＰ４００と通信が可能となる無線ＬＡＮ設定情報９２とを含む。チケット情報としては、例えば、コンサートの名称、会場名、開催日時が登録されている。また、無線ＬＡＮ設定情報９２は、例えばこのコンサート会場内にあるＡＰ４００と通信可能となるために必要な無線ＬＡＮの設定（例えば、ＳＳＩＤ（Ｓｅｒｖｉｃｅ  Ｓｅｔ  ＩＤ））、ＷＥＰ（Ｗｉｒｅｄ  Ｅｑｕｉｖａｌｅｎｔ  Ｐｒｉｖ��ｃｙ）キー、ＡＰ４００のＭＡＣ（Ｍｅｄｉａ  Ａｃｃｅｓｓ  Ｃｏｎｔｒｏｌ）アドレスなど）に関する情報が含まれる。なお、図４は電子チケット情報９１のデータ構造は一例であって、チケット情報と無線ＬＡＮ設定情報９２の格納形式はそれに限定されない。【００６９】  なお、図４に示す電子チケットに含まれる無線ＬＡＮ設定情報９２に基づいてＡＰ４００との接続を確立させた後、携帯通信装置６００では、基地局５１１を介して行われる通話機能などの各機能が停止されるように指示されているが、カメラ機能、ボイスレコード機能など、その他の機能が停止されるように指示することも可能である。【００７０】  上記の構成により、携帯通信装置６００は、情報抽出部８２が電子チケット情報９１から抽出した無線ＬＡＮ設定情報９２に基づいて、無線ＬＡＮ設定部８３が無線ＬＡＮの設定を行うことができる。また、上記携帯通信装置６００では、無線ＬＡＮの設定が行われると、無線部２を介して基地局５１１との通信を行うことができないように設定されている。このため、上記したようにＡＰ４００と無線による接続が確立された後、上記携帯通信装置６００において実行される通信は、ＡＰ４００を介して行われることとなる。また、携帯通信装置６００は、このＡＰ４００を介して、機能制限管理装置３００から、当該携帯通信装置６００が有する機能のうちどの機能を停止させるかについて指示するための情報である、機能制限情報７０を含むパケットが送信される。【００７１】  具体的に、このパケットには、例えば図５〜図８に示すような機能制限情報７０が含まれる。そして携帯通信装置６００は、これら図５〜図８に示すような機能制限情報７０が含まれるパケットを、無線ＬＡＮ制御部１７を介して受信すると、情報抽出部８２がこの機能制限情報７０の内容を抽出する。そして、情報抽出部８２によって抽出された情報に基づき、機能制限部８４が、携帯通信装置６００が備える機能を停止させる。【００７２】  例えば、携帯通信装置６００は、上記したようにＡＰ４００と無線による接続を確立させた後、機能制限管理装置３００から、例えば図５に示す、カメラ機能、メール機能、電話（通話）機能、インターネットへの接続機能全てを禁止する機能制限情報７０のパケットを受信すると、機能制限部８４がこれら全ての機能を停止するように制御する。また、携帯通信装置６００は、例えば図６に示すような、カメラ機能の撮影のみを許可する機能制限情報７０を含むパケットを受信すると、携帯通信装置６００がカメラ機能を有している場合は、カメラ機能のみが使用可能となるように機能制限部８４が制御する。また、携帯通信装置６００は、例えば図７に示すような、カメラ機能、メール機能、電話（通話機能）、インターネットへの接続機能全てを許可することを示す機能制限情報７０を含むパケットを受信すると、機能制限部８４がこれらすべての機能が実行できるように制御する。また、携帯通信装置６００は、図８に示す機能制限情報７０を含むパケットを受信した場合、機能制限部８４はカメラ機能および電話（通話機能）の機能は実行不可となるように停止されるが、メール機能およびインターネットへの接続機能は実行可となるように制御する。【０��７３】  なお、この図５〜図８に示す機能制限情報７０は一例であって、携帯通信装置６００が例えばＴＶ局から番組コンテンツの情報を受信できるアンテナを備え、該コンテンツの視聴機能を有している場合は、制限内容の中にＴＶの視聴の可否を示す情報が含まれていてもよい。また、ＤＶＤ等の記録媒体に記録された情報を再生可能にする機能を有している場合は、この記録媒体に記録された情報の再生の可否を示す情報が含まれていてもよい。【００７４】  また、上記制限内容には、携帯通信装置６００が有するボイスレコード機能の実行の可否を示す情報もふくまれていてもよい。【００７５】  また、図５〜図８に示す機能制限情報７０における各機能とその機能の制限を示す情報との対応関係は、これらに限定されるものではない。例えば、機能制限情報７０に含まれる制限内容は、カメラ機能以外の機能を許可するものであってもよいし、カメラ機能および電話（通話）機能のみを許可するものであってもよい。【００７６】  これら、機能制限情報７０における各機能とその機能の制限を示す情報との組み合わせは、ユーザが入場する施設の種類（例えば、映画館、病院、または博物館など）、あるいは、施設で提供するサービスの内容に応じて適切に設定されることが好ましい。【００７７】  また、上記機能制限管理装置３００から、ＡＰ４００を介して携帯通信装置６００に上記した機能制限情報７０を含むパケットの送信タイミングは、例えば図１７に示す機能制限情報管理テーブル７１によって、ユーザが入場した施設で提供されるサービスの内容あるいは、開始または終了等といったサービスの進行状況に応じて決められている。【００７８】  例えば、無線ＬＡＮ設定情報９２を含む電子チケットを購入し、携帯通信装置６００を所持するユーザが劇場に行って演劇を鑑賞するとする。このユーザが上記劇場に入場すると、携帯通信装置６００が、電子チケットに含まれる無線ＬＡＮ設定情報９２に基づき、ＡＰ４００との無線による接続を確立する。そして、携帯通信装置６００は基地局５１１を介して外部の他の携帯通信装置などと通信ができない状態になる。【００７９】  そこで、機能制限管理装置３００が、演劇の公演が開始されるまでの間は、図７に示す機能制限情報７０を含むパケットを、ＡＰ４００を介して携帯通信装置に送信する。これによって、携帯通信装置６００では、演劇の公演が開始されるまでの間は、該携帯通信装置６００が有する機能（例えば、カメラ機能、メール機能、電話（通話機能）、インターネットへの接続機能）が実行可能となる。このため、演劇が開始されるまで、ユーザは携帯通信装置６００のよって、自由に通話、メールの送受信等を行うことができる。【００８０】  演劇が開始されると、機能制限管理装置３００から携帯通信装置６００に、ＡＰ４００を介して、図５に示す機能制限情報７０を含むパケットが送信される。これによって、携帯通信装置６００では、該携帯通信装置６００が有する機能（例えば、カメラ機能、メール機能、電話（通話機能）、インターネットへの接続機能）が実行されないように、機能制限部８４が制御をおこなう。このため、演劇鑑賞に来たユーザが、携帯通信装置６００が有する機能を利用して、無断で、演���の内容を外部に送信されたり、演劇を演じる役者の写真を取られたり、通話による会話によって周囲の観客に迷惑をかけたりすることを防ぐことができる。【００８１】  また、演劇の公演の休憩時間等では、機能制限管理装置３００から携帯通信装置６００に、図７に示す機能制限情報７０を含むパケットが送信される。これによって、携帯通信装置６００では、使用が不可能であった各機能（例えば、カメラ機能、メール機能、電話（通話機能）、インターネットへの接続機能）が休憩時間の間では使用可能となる。【００８２】  また、演劇の公演中、演劇の見せ場あるいは、演劇開始時もしくは終了時に行われる出演者による挨拶等、特に宣伝してもらいたい場面において、図６に示す機能制限情報７０を含むパケットを、機能制限管理装置３００がＡＰ４００を介して携帯通信装置６００に送信する。これによって、携帯通信装置６００では、機能制限部８４が、携帯通信装置６００が有するカメラ機能を利用可能とするように制御する。このようにして、上記した特に宣伝してもらいたい演劇の一場面では自由に撮影することを許可することができる。このように、特に宣伝してもらいたい場面でのみカメラ機能を実行可能とすることで、演劇の興行者は、観客が撮影した画像などでこの演劇の宣伝効果を期待することができる。【００８３】  上記にて例を挙げて説明したように、劇場等の施設において、演劇等、ユーザに提供されるサービスの内容に応じて、機能制限管理装置３００が適切に機能制限情報７０を選択して携帯通信装置４００に送信することで、劇場内での不正な撮影、録音、あるいは演劇中の通話など他の観客への迷惑行為を防ぐことができる。【００８４】  なお、本実施の形態に係る電子チケットシステム５００では、機能制限管理装置３００が、上記した機能制限情報７０を、演劇等のプログラムに応じて所定の時間ごとに、劇場等の施設内に備えられたＡＰ４００ａ〜ＡＰ４００ｃそれぞれに対して送信するように構成されている。また、上述したように、機能制限管理装置３００は、どの機能制限情報７０のパケットを選択して送信するかについてのユーザからの指示を入力指示部６１が受信し、この受信したユーザからの指示に応じて選択制御部６２が機能情報７０を選択できるようになっている。このように、機能制限管理装置３００は、ユーザからの指示に応じて機能制限情報７０を選択しＡＰ４００を介して携帯通信装置４００に送信することができる構成である。このため、例えば、演劇が予定の時間通りに行われない場合であっても、機能制限管理装置３００は適切なタイミングで適切な機能制限情報７０を含むパケットを携帯通信装置６００に送信することができる。【００８５】  また、映画のように音声または映像等によって上映される場合、これら音声または映像などを記憶し出力する映像・音声出力装置の動きに同期して上記機能制限情報７０のパケットを送信するように構成されていてもよい。この場合は以下のようにして実現できる。すなわち、機能制限管理装置３００は、上記した入力指示部６１によって、上記映像・音声出力装置からの音声または映像の出力タイミングと同期する信号を受信し、この受信した信号に応じて選択制御部６２が機能制限情報７０を記憶部６４から選択する。そして、出力制御部６０が選択された機能制限情報７０を含むパケットを携帯通信装置６００にＡＰ４００を介して送信する。【００８６】  すなわち、上記機能制限管理装置は、記憶部６４に記憶されている機能制限情報７０のうち、どの機能制限情報７０を選択するかを示す選択情報として、上記信号を受信する入力指示部６１を備え、上記入力指示部によって受信された信号が示す情報に基づき、選択制御部６２が上記記憶部６４に記憶された機能制限情報７０を選択する。【００８７】  上記構成によれば、本発明に係る電子チケットシステム５００では、機能制限管理装置３００が選択制御部６２を備えているため、外部から指示された機能制限情報７０を選択することができる。【００８８】  よって、施設やイベント等の管理者は、提供するサービスの内容または進行状況に応じて、携帯通信装置６００が備える機能のうち、停止することが所望される機能を選択して停止させることができる。したがって、携帯通信装置６００が備える機能を、提供するサービスの内容や該サービスの進行状況に応じて管理者側で適切に停止させることができ、携帯通信装置の機能を制限することができる。【００８９】  （機能の停止または再開処理）
次に、図９に示すフローチャートに基づいて、上述のように構成された携帯通信装置６００における、電子チケットに含まれる情報に基づいて各種機能を停止または再開するときの動作を説明する。【００９０】  電子チケットが発券され該電子チケットを取得すると、主制御部１８は、取得した電子チケットに含まれる無線ＬＡＮ設定情報９２に基づき、無線を介してＡＰ４００との接続を可能となるように無線ＬＡＮの設定を行う（Ｓ１０）。一方、主制御部１８は、無線ＬＡＮの設定が完了すると、機能制限管理装置３００から送信された機能制限情報７０に応じて、第１アンテナを介して行われる基地局５１１との通信が禁止される、すなわち公衆網との接続ができないように設定が変更される（Ｓ１１）。【００９１】  この状態において、ＡＰ４００を介して機能制御管理装置３００から機能制限情報７０を含むパケットの受信があった場合（Ｓ１２でＹＥＳ）、その機能制限情報７０は、無線ＬＡＮ制御部１７を通じて主制御部１８に送信され、その機能制限情報７０を情報抽出部８２が抽出する。そして、情報抽出部８２は、抽出した機能制限情報７０を機能制限部８４に送信し、機能制限部８４は、この機能制限情報７０に基づき、携帯通信装置６００が備える機能の一部または全部を停止する（Ｓ１３）。【００９２】  また、この状態において、主制御部１８が新たに他の機能制限情報７０を含むパケットを受信した場合（Ｓ１４でＹＥＳ）、この新たに受信した機能制限情報７０に基づき、主制御部１８における機能制限部８４が、携帯通信装置６００が備える機能の一部または全部を制限または再開させるなど変更する（Ｓ１５）。【００９３】  このようにして、機能制限管理装置３００から送信された機能制限情報７０を含むパケットの受信に応じて、携帯通信装置６００が備える機能の一部または全部を停止したり、再開させたりする。そして、このような携帯通信装置６００が備える機能制限は、機能制限管理装置３００から、機能制限情報７０の送信終了を示す通知を受信するまで実行される。【００９４】  主制御部１８は機能制限情報７０の送信終了を示す通知を機能制限管理装置３００から受信すると（Ｓ１６でＹＥＳ）、制限されている、携帯通信装置６００が備える機能に対する制限を解除する（Ｓ１７）。【００９５】  このように、上記電子チケットシステム５００によれば、医療機器への影響、周囲の人に対する騒音、映画館やコンサート会場での盗撮や盗聴などの問題を、使い勝手の低下を抑制しつつ解決することができる。すなわち、例えば、コンサートの主催者側で、盗撮および盗聴を防止したい場合には、機能制限管理装置３００が送信する機能制限情報７０として、カメラ機能およびボイスレコード機能を含めるようにすれば良く、またコンサート中の通話やメール送受信を禁止したい場合には、機能制限情報７０として通信機能を含めるようにすれば良い。また、このように機能制限情報７０によって、携帯通信装置６００が備える機能を、コンサートが始まるまでは、撮影、ボイスレコード、通話およびメール送受信を行うことができるように設定することができるため、ユーザに対して必要以上の負担を強いることがなく、コンサート会場内での待合せなども行うことができる。【００９６】  上記した実施例では、ユーザが利用する施設内のＡＰ４００を通じて、施設内にある携帯通信装置６００全てに対して、一斉に該携帯通信装置６００が備える機能の制限を行うようになっていた。しかし、ユーザが利用する施設で提供されるサービスの種類によっては、施設内で一斉に上記したように携帯通信装置６００が備える機能の制限が行われると不都合な場合がある。例えば、複数の劇場（スクリーン）を有する複合型映画館、いわゆるシネコンなどのように、映画の上演時間、休憩時間等様々である場合、複合施設内で一斉に上記したように携帯通信装置６００が備える機能の制限が行われると不都合である。【００９７】  そこで、ＡＰ４００ａが劇場Ａ、ＡＰ４００ｂが劇場Ｂ、ＡＰ４００ｃがロビーというふうに、空間（部屋）ごとに設けられるＡＰ４００ａ〜ＡＰ４００ｃそれぞれが決められている。そして、各ＡＰ４００ａ〜４００ｃを介して機能制限管理装置３００がそれぞれ異なる内容の機能制限情報７０を送信する。【００９８】  例えば、劇場Ａでは映画の上映が行われており、劇場Ｂでは映画の上映がまだ始まっておらず最新映画の予告情報が流されているとする。この場合、機能制限管理装置３００は、劇場Ａに設けられているＡＰ４００ａを介して、図５に示す機能制限情報７０を含むパケットを携帯通信装置６００に送信する。このようにして、劇場Ａでは、携帯通信装置６００はカメラ機能、メール機能、電話（通話機能）、インターネットへの接続を停止させ、周囲の人に対する騒音、または上映映画のコンテンツの流出を防ぐことができる。【００９９】  また、機能制限管理装置３００は、劇場Ｂに設けられているＡＰ４００ｂを介して、図８に示す機能制限情報７０を含むパケットを携帯通信装置６００に送信する。このようにして、劇場Ｂでは、携帯通信装置６００が備えるメール機能、およびインターネットへの接続機能だけを利用することができる。そして、カメラ機能によるコンテンツの不正流出を防ぐとともに、電話（通話機能）による周囲の人に対する騒音を防ぐことができる。【０１００】  また、ロビーでは、能制限管理装置３００は、ロビーに設けられているＡＰ４００ｃを介して、図７に示す機能制限情報７０を含むパケットを携帯通信装置６００に送信する。このようにして、ロビーでは、携帯通信装置６００が備えるカメラ機能、メール機能、電話（通話機能）、インターネットへの接続機能を自由に利用することができる。【０１０１】  このように、ユーザが入場する施設において、各部屋（劇場）ごとに必要となる携帯通信装置６００が有する機能の制限が異なる場合、各部屋にもうけられているＡＰ４００を介して機能制限管理装置３００が適切な機能制限情報７０を含むパケットを送信することが好ましい。このようにして、携帯通信装置６００は、各部屋において、より細かい機能制限を受けることにより、ユーザに対して必要以上の負担を強いることがなく、適切な携帯端末装置６００が備える機能の制限を行うことができる。【０１０２】  なお、ＡＰ４００ａ〜ＡＰ４００ｃのうちどのＡＰ４００を介して、どのような機能制限情報７０を含むパケットを送信するかは、機能制限管理装置３００が所定のＡＰ４���０を選択して行われる。または、機能制限管理装置３００がどのＡＰ４００に携帯通信装置６００が接続されているかを管理し、携帯通信装置６００に直接パケットを送信するような形にしても良い。【０１０３】  また、上述したシネコンのように、複数の劇場から構成される複合施設の場合、電子チケットに含まれる無線ＬＡＮ設定情報９２は、無線通信装置６００を所持するユーザが利用する空間（場所）にのみ有効となる情報としてもよい。例えば、ユーザが劇場Ａで上映される映画を鑑賞しに行くとする。この場合、無線通信装置６００が電子チケット発券装置１００から劇場Ａで上映される映画の電子チケットを購入した場合、この電子チケットには、共有空間であるロビーと劇場Ａとにおいて無線通信が可能となる無線ＬＡＮの設定が含まれる。【０１０４】  このようにユーザが利用する場所についてのみに関する無線ＬＡＮ設定情報９２を電子チケットに含める場合、無線通信が確立できない場所では、携帯通信装置６００が備える機能の全てが停止され、無線通信が確立できる場所では、機能制限管理装置３００から送信される機能制限情報７０に基づいて、上記機能が制限されるように構成する。このようにして、ユーザが利用する場所だけ、適切に携帯通信装置６００が有する特定の機能が有効となるようにすることができる。【０１０５】  また、上述したように、各場所に設けられたＡＰ４００ごとに、該ＡＰ４００を介して携帯通信装置６００に送信される機能制限情報７０が異なる場合、携帯通信装置６００が、異なるＡＰ４００それぞれから送信された機能制限情報７０のパケットを受信することがある。この場合、先に受信した機能制限情報７０に基づき、該携帯通信装置６００が備える機能の停止を行うように構成されていてもよい。あるいは、受信した機能制限情報７０を比較して、制限されている機能が多い方を選択して、上記機能の停止を行うように構成されていてもよい。また、逆に、携帯通信装置６００は、受信した機能制限情報７０において、もっとも制限がない機能制限情報７０に基づき、該携帯通信装置６０が有する機能を停止するように構成されていてもよい。また、受信した機能制限情報７０それぞれにおいて共通して機能の制限がなされていないもののみを有効とし、それ以外の機能を停止するように構成されていてもよい。また、発行された電子チケットの中に、どのＡＰ４００から受信した機能制限情報７０を優先して選択するか、優先順位を示す情報が含まれており、この優先順位を示す情報に基づいて、携帯通信装置６００は、自身が有する機能の停止をおこなってもよい。【０１０６】  また、上記したように電子チケット発券装置１００は、携帯通信装置６００に電子チケットの発行を行った際に、該携帯通信装置６００を特定する情報を記録するように構成されている。そして、接続管理サーバ２００にこの携帯通信装置６００を特定する情報と関連づけられ記憶されている電子チケットの情報として、携帯通信装置６００を所持したユーザが利用可能な場所の情報が含まれているとする。この場合、電子チケット発券装置１００は、この携帯通信装置６００を特定する情報と、該携帯通信装置６００が利用可能な場所を示す情報とを接続管理サーバ２��０に送信する。この接続管理サーバ２００は、これら受信した情報に基づき、利用が認められていない場所に設けられたＡＰ４００と携帯通信装置６００が接続を確立しているか否かを判断する。【０１０７】  そして、利用が認められていない場所に設けられたＡＰ４００と携帯通信装置６００とが接続を確立していると判定した場合、接続管理サーバ２００がこの携帯通信装置６００に警告を通知する構成であってもよい。例えば、シネコンなどでは、他の劇場に入場しているということを通知して警告してもよい。さらには、このような警告とともに、正しい場所への館内情報を送信してもよい。【０１０８】  このように、利用が認められていない場所にユーザが入った場合であっても、警告とともに正しい場所への案内を通知することで、ユーザに正しい場所への道案内を行うことができる。【０１０９】  なお、本実施の形態に係る電子チケットシステム５００では、無線ＬＡＮ設定部８３は、ユーザからの指示に応じて無線ＬＡＮの設定を行っているがこれに限定されるものではない。例えば、ユーザが利用する施設の出入口に電子チケット確認装置（不図示）が設けられており、この電子チケット確認装置にて電子チケットによる入場確認が行われた際に設定される構成であってもよい。この場合、携帯通信装置６００は、上記電子チケット確認装置から電子チケットによる入場確認を示す情報を、無線部２を介して受信するように構成されていても良い。あるいは、携帯通信装置６００が、ＦｅｌｉＣａ（登録商標）、Ｂｌｕｅｔｏｏｔｈ（登録商標）などの他の無線通信手段を備え、この無線通信手段によって電子チケット確認装置から上記入場確認を示す情報を受信する構成であってもよい。【０１１０】  これにより、例えば、ユーザがコンサートホール等の施設に入場する際、該施設で有効となる無線ＬＡＮの設定が行われ、また第１アンテナを介して行われる他の通信装置との通信を遮断することができる。【０１１１】  また、無線ＬＡＮ設定部８３は、設定した無線ＬＡＮの設定の解除を、ユーザからの指示に応じて行うがこれに限定されるものではない。例えば、ユーザが施設から退場する際に、上記電子チケット確認装置にて電子チケットによる退場確認が行われた際に設定される構成であってもよい。この場合も入場時と同様に、上記無線部２を介して、電子チケット確認装置から、退場確認を示す情報を受信する構成であってもよいし、他の無線通信手段を介して、この情報を受信する構成であってもよい。【０１１２】  これにより、例えば、ユーザがコンサートホール等の施設から退場する際、該施設で有効となる無線ＬＡＮの設定を無効とすることができる。【０１１３】  また、上記電子チケット発券装置１００は、販売する電子チケットの中に含める無線ＬＡＮ設定情報９２に予め有効となる期限情報をつけておいてもよい。すなわち、この期限情報を例えばコンサートが行われた日まで、もしくはコンサートが終了した時間までと設定しておくことで、適切に無線ＬＡＮの設定を無効とすることができる。【０１１４】  また、本実施の形態に係る電子チケットシステム５００では、電子チケットを携帯通信装置６００が購入し、電子チケットが含む無線ＬＡＮ設定情報９２に基づ���、該携帯通信装置６００が無線ＬＡＮの設定を行うようになっているが、上記無線ＬＡＮ設定情報９２の取得方法はこれに限定されるものではない。【０１１５】  例えば、電子チケットとは別に、上記携帯通信装置６００は、基地局５１１を介して、電子チケット発券システム１００からＬＡＮの設定情報を取得する構成であってもよい。さらには、上記携帯通信装置６００は、購入した上記電子チケットによって劇場または映画館等の施設に入場する際に、基地局５１１を介して電子チケット発券システム１００から無線ＬＡＮ設定情報９２を取得してもよい。あるいは、上記携帯通信装置６００は、さらにＲＦＩＤ（Ｒａｄｉｏ  Ｆｒｅｑｕｅｎｃｙ  Ｉｄｅｎｔｉｆｉｃａｔｉｏｎ）、赤外線、Ｂｌｕｅｔｏｏｔｈなど、通信可能な距離が比較的短い他の無線部をさらに備え、購入した上記電子チケットによって劇場または映画館等の施設に入場する際に、この無線部によって、無線ＬＡＮ設定情報９２を取得してもよい。このように他の無線部によって無線ＬＡＮ設定情報９２を取得する場合、この無線部が取得した無線ＬＡＮ設定情報９２を主制御部１８に送信することで、無線ＬＡＮの設定を実現することができる。【０１１６】  もしくは、ユーザが購入した上記電子チケットによって劇場または映画館等の施設に入場する際に、無線ＬＡＮ設定情報９２が記録されたＱＲ（Ｑｕｉｃｋ  Ｒｅｓｐｏｎｓｅ）コード（登録商標）などの２次元コードが印刷された用紙を渡される。そして、このＱＲコードから携帯通信装置６００が無線ＬＡＮ設定情報９２を取得してもよい。なお、このＱＲコードから無線ＬＡＮ設定情報９２を取得する場合、携帯通信装置６００は、さらにＱＲコードの読取り部を備え、読取った情報を主制御部１８に送信することで無線ＬＡＮの設定を実現することができる。【０１１７】  また、携帯通信装置６００は、電子チケットを購入した際に指定されたＷＥＢサイトにアクセスし、該ＷＥＢサイトから無線ＬＡＮ設定情報９２を取得してもよい。あるいは、電子チケット発券装置１００が、電子チケットの購入時に携帯通信装置６００からメールアドレスを取得し、該メールアドレスに対してメールの添付ファイルとして上記無線ＬＡＮ設定情報９２を送信する。そして携帯通信装置６００は、このメールを受信することで無線ＬＡＮ設定情報９２を取得してもよい。【０１１８】  また、例えば、映画などのように映画館において１日に複数回上映が行われる場合、電子チケット発券装置１００は、電子チケットに含まれる無線ＬＡＮ設定情報９２を上映回ごとに異なる情報とする構成であってもよい。この場合、この映画館において備えられるＡＰ４００の設定も上映回ごとに異なるように変更する。【０１１９】  また、携帯通信装置６００が無線ＬＡＮ設定情報９２を取得した場合、その無線ＬＡＮの設定に関する説明を表示部１２に表示するようにしてもよい。そして、表示する説明のメッセージ等の内容は、電子チケット情報９１に含めて電子チケット発券装置１００から送信し、携帯通信装置６００に格納し、表示する際に電子チケット情報９１から抽出してもよい。これにより、ＬＡＮの設定方法の説明を、表示部１２に表示させることができるため、該ＬＡＮの設定をユーザに説明することができ、ユーザは該ＬＡＮの設定を容易に設定することができる。【０１２０】  また、本実施の形態に係る電子チケットシステム５００において、携帯通信装置６００は、購入した電子チケットの内容を、当該携帯通信装置６００の表示部１２に表示されるように構成されていることが好ましい。【０１２１】  また、本実施の形態に係る電子チケットシステム５００では、携帯通信装置（通信装置）６０１において機能が停止されたり、停止された機能が再開したりするたびに、現在停止されている機能を主制御部１８が表示部１２に表示させてユーザに確認をとらせる構成であってもよい。また、携帯通信装置６０１において機能が停止されたり、停止された機能が再開されたりするたびに、特定のバイブレーションによって、または特定の音をスピーカ５から鳴らしたり、上記携帯通信装置６０１が表示灯として、例えばＬＥＤ（Ｌｉｇｈｔ  Ｅｍｉｔｔｉｎｇ  Ｄｉｏｄｅ）などを備えている場合、この表示灯を点滅してユーザに知らせる構成であってもよい。【０１２２】  （実施形態２）
次に、図１０〜図１４を参照して本発明の別の実施形態である電子チケット発券システム５０１について説明する。【０１２３】  この図１０は、本発明の別の実施形態に係る電子発券システム５０１の概略構成の一例を示す図である。【０１２４】  図１０に示すように、本実施の形態に係る電子チケット発券システム５０１は、実施形態１に示す電子チケット発券システム５００と比較して下記の点が異なる。ただし、実施形態１と同一の部材には同じ符号を付しその説明は省略する。【０１２５】  先ず、機能制御管理装置３００および接続管理サーバ２００を備えていない点で異なる。電子チケット発券装置１０１は、インターネット網５１３および電話回線網５１２を介して基地局５１１と通信可能となっている。そして、電子チケット発券装置１０１は、この基地局５１１を介して携帯通信装置６０１と通信可能となる。すなわち、電子チケット発券装置１０１は、インターネット網５１３および電話回線網５１２を通じて、基地局５１１を介して携帯通信装置６０１に電子チケットを販売することができる。【０１２６】  また、ＡＰ４００ａ〜ＡＰ４００ｃそれぞれはインターネット網５１３に接続可能となっている。そして、携帯通信装置６０１は、これらＡＰ４００ａ〜ＡＰ４００ｃと接続を確立できるように、無線ＬＡＮの設定を行った場合には、これらＡＰ４００ａ〜ＡＰ４００ｃを介してインターネット網５１３および電話回線網５１２に接続することができる。【０１２７】  また、電子チケット発券装置１０１から携帯通信装置６０１が購入する電子チケットに含まれる情報が異なる。すなわち、電子チケット発券装置１０１は、発行する電子チケットに、実施形態１に示す電子チケットが含む情報に加え、さらに各ＡＰ４００ａ〜ＡＰ４００ｃごとに割り当てられた機能制限情報（指示情報）９３が含まれる。具体的には、図１１に示すように、電子チケット情報１９１は、ユーザが利用を所望する施設に入場するためのチケット情報と、該施設に備えられたＡＰ４００ａ〜ＡＰ４００ｃと接続を確立するために必要な無線ＬＡＮ設定情報９２とを含む。さらに、電子チケット情報１９１は、ＡＰ４００ａ〜ＡＰ４００ｃとの無線による接続を確立した場合、携帯通信装置６０１が備える機能のうち停止（禁止）すべき機能に関する情報である機能制限情報９３が含まれている。【０１２８】  例えば、チケット情報としては、コンサートの名称、会場名、開催日時が登録されている。また、無線ＬＡＮ設定情報９２は、例えば、このコンサート会場内にあるＡＰ４００ａ〜ＡＰ４００ｃそれぞれと通信可能となる無線ＬＡＮの設定（例えば、ＳＳＩＤ、ＷＥＰキー、ＡＰ４００のＭＡＣアドレスなど）に関する情報が含まれる。そして、機能制限情報９３としては、携帯通信装置６０１がこれらＡＰ４００ａ〜ＡＰ４００ｃそれぞれと無線による接続を確立した場合、上記携帯通信装置６０１が備える機能のうち何れの機能を停止（禁止）するかについての情報が含まれる。【０１２９】  より具体的には、図１２に示すように、機能制限情報９３として、ＡＰ４００ａ〜ＡＰ４００ｃごとのＭＡＣアドレス、カメラ機能の禁止または許可、メール機能の禁止または許可、電話（通話）機能の禁止また���許可、インターネットへの接続の禁止または許可等の情報が含まれる。なお、上記ＭＡＣアドレスは、ＡＰ４００ａ〜ＡＰ４００ｃそれぞれを識別するために利用する情報であって、該ＡＰ４００ａ〜ＡＰ４００ｃそれぞれを識別できる情報であればこれに限定されない。例えば、ＭＡＣアドレスの代わりにＳＳＩＤであってもよい。【０１３０】  また、上記機能制限情報９３は、上記したようにＡＰ４００ａ〜ＡＰ４００ｃのうちいずれであるかを識別する情報を含んでいるため、この識別する情報を介して、携帯通信装置６０１の接続先のＡＰ４００と、このＡＰ４００との接続の確立時において、携帯通信装置６０１が有する機能のうちの停止（禁止）すべき機能との対応関係をとることができる。【０１３１】  なお、図１１は電子チケット情報１９１のデータ構造は一例であって、チケット情報と無線ＬＡＮ設定情報９２と機能制限情報９３との格納形式はそれに限定されない。また、図１２は電子チケット情報９１に含まれる機能制限情報９３のデータ構造の一例であって、機能制限情報９３の格納形式はそれに限定されない。また、図１２は、上述したように機能制限情報９３がＡＰ４００ａ〜ＡＰ４００ｃごとに対応づけて管理できるようになっている。しかしながら、特にＡＰ４００ａ〜ＡＰ４００ｃが設けられている場所ごとに、携帯通信端末装置６０１が有する機能の制限を別々に設定する必要がない場合は、各ＡＰ４００ａ〜ＡＰ４００ｃに対応づけて設定される機能制限情報９３は同一の内容のものであってもよい。【０１３２】  また、携帯通信装置６０１が、ＡＰ４００ａ〜ＡＰ４００ｃにおいて共通した無線ＬＡＮ設定情報９２で設定ができる場合、ＡＰ４００ａ〜ＡＰ４００ｃとの無線による接続を確立させるために必要な設定情報（無線ＬＡＮ設定情報９２）は、特にＡＰ４００ａ〜ＡＰ４００ｃごとに対応付けておく必要がない。【０１３３】  （携帯通信装置のハードウェア構成およびソフトウェア構成）
続いて、図１３および図１４を参照して携帯通信装置６０１のハードウェア構成およびソフトウェア構成について説明する。【０１３４】  まず、本実施の形態に係る携帯通信装置６０１のハードウェア構成は、実施形態１に示した携帯通信装置６００と比較して、主制御部１１８における機能制限に関わるソフトウェア構成のみが異なる。このため、携帯通信装置６０１のハードウェア構成は、上記主制御部１１８以外の各部は同一であるためこれら同一の各部の説明は省略し同じ符号を付す。【０１３５】  次に、図１４を参照しながら、携帯通信装置６０１における機能制限に関わるソフトウェア構成についで説明する。この図１４は、携帯通信装置６０１の主制御部１１８の機能制限に関わる詳細を示す機能ブロック図である。なお、この携帯通信装置６０１におけるソフトウェア構成において、実施形態１に示す携帯通信装置６００におけるソフトウェア構成と共通する部材には同じ符号を付し、その説明は省略する。【０１３６】  電子チケットシステム（機能管理システム）５０１において、携帯通信装置６０１は、特に、電子チケット管理部８１、情報抽出部８２、無線ＬＡＮ設定部８３、機能制限部８４、機能制限情報取得部８５、情報格納部１９０、無線部２、無線ＬＡＮ制御部１７を備えて構成されている。なお、電子チケット管理部８１、情報抽出部８２、無線ＬＡＮ設定部８３、無線ＬＡＮ機能制限部８４、および機能制限情報取得部８５は、ソフトウェアに基づき主制御部１１８に実現される機能である。また、情報格納部１９０は、電子チケット等の情報を格納するメモリであり、第２メモリ１３に対応する。【０１３７】  ここで、本実施形態に係る携帯通信装置６０１は、実施形態１に示した携帯通信装置６００と以下の点で異なる。【０１３８】  すなわち、電子チケット管理部８１が無線部２から取得し、情報格納部１９０に格納した電子チケット情報１９１に含まれる情報が異なる。つまり、実施形態１に示した携帯通信装置６００では、情報格納部９０に格納された電子チケット情報９１には、無線ＬＡＮ設定情報９２を含んでいたのに対して、本実施形態に係る携帯通信装置６０１では、情報格納部１９０に格納された電子チケット情報１９１には、無線ＬＡＮ設定情報９２に加えて、さらに機能制限情報９３が含まれている点が異なる。【０１３９】  また、携帯通信装置６０１の主制御部１１８がさらに機能制限情報取得部８５を備える点が、実施形態１に示す携帯通信装置６００と異なる。すなわち、無線ＬＡＮ制御部１７は、ＡＰ４００から該ＡＰ４００を識別する情報（ＭＡＣアドレス）を含む信号を受信すると、この識別情報を機能制限情報取得部８５に送信する。【０１４０】  機能制限情報取得部８５は、この識別情報を受信すると、該識別情報に対応する機能制限情報９３を、情報格納部１９０からを取得するように情報抽出部８２に指示する。【０１４１】  この機能制限情報取得部８５からの指示を受けて、情報抽出部８２は、電子チケット情報１９１に含まれる機能制限情報９３の中から上記識別情報に対応する機能制限情報９３を抽出し、機能制限情報取得部８５に送信する。機能制限情報取得部８５は、情報抽出部８２から取得した機能制限情報９３を機能制��部８４に送信する。機能制限部８４は、受信した機能制限情報９３に基づき、携帯通信装置６０１が備える機能の一部又は全部を停止する。なお、機能制限情報取得部８５と情報抽出部８２とによって、指示情報取得手段を実現する。【０１４２】  なお、上記識別情報を含む信号とは、例えば、各ＡＰ４００ａ〜ＡＰ４００ｃから送信されるビーコン信号であって、このビーコン信号に各ＡＰ４００ａ〜各ＡＰ４００ｃのＭＡＣアドレスなどのような識別情報を含ませて周期的に接続先に送信するようになっている。すなわち、ＡＰ４００ａ〜ＡＰ４００ｃそれぞれは、各々が通信可能とする所定領域内において、上記ビーコン信号を周期的に送信し、該所定領域内に携帯通信装置６０１が存在するか否かについて探索している。このため、携帯通信装置６０１を所持したユーザが上記所定領域内に入ると、この携帯通信装置６０１は、ＡＰ４００ａ〜ＡＰ４００ｃのいずれかから送信されたビーコン信号を、第２アンテナ１５を通じて無線ＬＡＮ制御部１７が受信することにより、ＡＰ４００ａ〜ＡＰ４００ｃのいずれかの存在を見出すことができる。【０１４３】  また、この識別情報を含む信号は、これに限定されるものではなく、例えば、ブロードキャストデータなどのデータパケットに各ＡＰ４００ａ〜ＡＰ４００ｃのＭＡＣアドレスなどのようなＡＰ４００を識別できる情報を含ませたものであってもよい。【０１４４】  また、上記した各ＡＰ４００ａ〜４００ｃのうち何れのＡＰ４００であるかを識別する情報として、ＭＡＣアドレスに限定されるものではなく例えば、ＳＳＩＤまたはＷＥＰキーであってもよい。この場合は、図１２に示した各ＡＰ４００ａ〜４００ｃのＭＡＣアドレスの代わりにＳＳＩＤまたはＷＥＰキーが、機能の禁止または許可を示す情報それぞれと対応付けられる。【０１４５】  ただし、上記したように、ＳＳＩＤまたはＷＥＰキーの受信によって、携帯通信装置６０１が、通信可能なＡＰ４００を、各ＡＰ４００ａ〜４００ｃのうち何れであるか特定する場合、携帯通信装置６０１は、この特定をＡＰ４００との通信を確立した後に行うこととなる。【０１４６】  すなわち、携帯通信装置６０１が、ＡＰ４００と接続を確立すると、該ＡＰ４００から送信されてきた上記識別情報を無線ＬＡＮ制御部１７が受信する。そして、無線ＬＡＮ制御部１７によって受信した識別情報は、機能制限情報取得部８５に送信され、機能制限情報取得部８５が、受信した識別情報に基づき電子チケット情報１９１に含まれる機能制限情報９３を取得するように情報抽出部８２に指示する。この機能制限情報取得部８５からの指示に応じて情報抽出部８２が電子地チケット情報１９１から機能制限情報９３を取得し、該機能制限情報取得部８５に送信する。機能制限情報取得部８５は、取得した機能制限情報９３を機能制限部８４に送信する。このようにして、接続を確立したＡＰ４００に応じて携帯通信装置６０１が、自身が備える機能を制限することができる。【０１４７】  また、実施形態２に係る携帯通信装置６０１では、ＡＰ４００を見出した（発見した）場合、あるいはＡＰ４００との無線ＬＡＮによる接続を確立した場合、機能制限部８４が、当該携帯通信装置６０１が備える機能を停��するように指示する点が実施形態１に係る携帯通信装置６００と異なる。例えば、実施形態１の場合では、機能制限管理装置３００側から、基地局５１１を介して行う通信を停止するなどの情報を機能制限情報７０に含めて携帯通信装置６００に送信し、特定の機能の停止を指示することができた。しかしながら、実施形態２の場合は、接続先のＡＰ４００ａごとに、携帯通信装置６００が備える機能のうち停止させる機能が予め決まっている。このため、本実施の形態（実施形態２）に係る携帯通信装置６０１では、ＡＰ４００を見出す、あるいはＡＰ４００との接続を確立し、該ＡＰ４００の識別情報を受信した場合、この受信した識別情報に基づき、機能制御部８４が、当該携帯通信装置６０１が備える機能の使用を制御する。【０１４８】  このように、上記携帯通信装置６０１は、ＡＰ４００を見出したり、ＡＰ４００との接続を確立したりすることにより、各ＡＰ４００ａ〜ＡＰ４００ｃそれぞれを識別する識別情報を受信し、携帯通信装置６０１が備える機能の一部または全部を禁止させることができる。このため、各ＡＰ４００が備えられた場所ごとに、停止（禁止）する機能を適切に設定することができる。【０１４９】  また、ＡＰ４００ａ〜ＡＰ４００ｃが備えられている場所からユーザが退出した場合、すなわち、各ＡＰ４００ａ〜ＡＰ４００ｃの何れからの電波を受信しなくなった場合、携帯通信装置６０１は、禁止している機能をすべて再開させる。【０１５０】  また、携帯通信装置６０１が例えばＡＰ４００ａおよびＡＰ４００ｃ両方の電波の届く範囲にある場合、主制御部１１８は、ＡＰ４００ａとＡＰ４００ｃとを比較して禁止される機能が多い、すなわち制限が厳しい機能制限情報９３を選択して、この情報に基づいて、携帯通信装置６０１が備える機能の一部または全部を停止させるように構成してもよい。あるいは、逆に主制御部１１８は禁止される機能が少ない、すなわち制限がゆるい機能制御情報９３を選択して、この情報に基づき携帯通信装置６０１が有する機能を停止させるように構成してもよい。あるいは、両方のＡＰから機能制限情報９３のうち、禁止されているものの全部を行うような構成にしても良い。【０１５１】  また、電子チケット情報１９１に含まれる機能制御情報９３にはそれぞれ優先度が設けられており、主制御部１１８は、優先度が高い機能制限情報９３を選択して、この情報に基づき携帯通信装置６０１が有する機能を停止させる構成であってもよい。【０１５２】  （機能の停止または再開処理２）
次に、図１５に示すフローチャートに基づいて、上述のように構成された携帯通信装置６０１における、電子チケットに含まれる情報に基づいて各種機能を停止または再開するときの動作を説明する。【０１５３】  まず、ここでは、ＡＰ４００との接続を確立し、接続先のＡＰ４００からこのＡＰ４００の識別情報を受信する場合について説明する。【０１５４】  電子チケットが発券され該電子チケットを取得すると、主制御部１１８は、取得した電子チケットに含まれる無線ＬＡＮ設定情報９２に基づき、無線を介してＡＰ４００との接続を可能となるように無線ＬＡＮの設定を行う（Ｓ２０）。【０１５５】  この状態において、携帯通信装置６０１を所持するユーザが施設に入場すると、携帯通信装置６０１の主制御部１１８はＡＰ４００との通信を確立する。（Ｓ２１）。そして、主制御部１１８は、ＡＰ４００との接続を確立すると、接続先のＡＰ４００から、このＡＰ４００を識別する情報を受信する。そして、この受信したＡＰ４００を識別する情報に基づき、電子チケットに含まれる情報を参照し、このＡＰ４００を介して行われる通信において禁止される、携帯通信装置６０１の機能を確認する（Ｓ２２）。そして、主制御部１１８は、禁止される上記機能を確認すると、この確認結果に応じて携帯通信装置６０１が備える機能を停止する（Ｓ２３）。【０１５６】  さらに、上記ユーザが移動し、携帯通信装置６０１の接続先のＡＰ４００が変わる場合（Ｓ２４においてＹＥＳ）、主制御部１１８は新たなＡＰ４００との接続を確立する（Ｓ２５）。そして、主制御部１１８は、この新たなＡＰ４００との接続を確立すると、接続先のＡＰ４００から、このＡＰ４００を識別する情報を受信する。そして、受信したＡＰ４００を識別する情報に基づき、電子チケットに含まれる情報を参照して、このＡＰ４００を介する通信において禁止される、携帯通信装置６０１の機能を確認する（Ｓ２６）。そして、主制御部１１８は、禁止される上記機能を確認すると、この確認結果に応じて携帯通信装置６０１が備える機能の停止の設定を変更する、すなわち禁止機能の設定を変更する（Ｓ２７）。【０１５７】  このように、接続を確立していたＡＰ４００とは別のＡＰ４００と接続を確立しなおす度に、主制御部１１８は、接続先のＡＰ４００を特定し、電子チケットに含まれる情報に基づいて、上記機能の停止または再開の設定を変更する。【０１５８】  そして、主制御部１１８が、例えば出口などユーザが退場する場所に設けられたＡＰ４００と接続を確立すると、（Ｓ２８でＹＥＳ）、禁止機能として停止されていた携帯通信装置６０１の機能を再開させる（Ｓ２９）。【０１５９】  上記では、ＡＰ４００との接続を確立し、接続先のＡＰ４００からこのＡＰ４００の識別情報を受信する場合について説明した。次に図１８を参照して、ＡＰ４００から発信されているビーコン信号を受信して、該ＡＰ４００を特定し、このＡＰ４００に応じて各種機能を停止または再開する場合の動作について説明する。【０１６０】  上記図１５に示すステップＳ２０と同様に、電子チケットが発券され該電子チケットを取得すると、主制御部１１８は、取得した電子チケットに含まれる無線ＬＡＮ設定情報９２に基��き、無線を介してＡＰ４００との接続を可能となるように無線ＬＡＮの設定を行う（Ｓ４０）。【０１６１】  この状態において、携帯通信装置６０１を所持するユーザが施設に入場すると、携帯通信装置６０１ではＡＰ４００との通信を確立するよりも前に、無線ＬＡＮ制御部１７がＡＰ４００から周期的に送信されているビーコン信号を受信することにより上記ＡＰ４００を見出す（発見）する（Ｓ４１）。そして、携帯通信装置６０１では、無線ＬＡＮ制御部１７がこのビーコン信号に含まれる識別情報を機能制限情報取得部８５に送信する。機能制限情報取得部８５は、識別情報を受信すると、情報抽出部８２に指示して電子チケット情報の中から機能制限情報９３を取得させる。そして、機能制限情報取得部８５は、受信した機能制限情報９３と識別情報とを機能制限部８４に送信する。機能制限部８４は、受信した識別情報と機能制限情報９３とに基づき、禁止機能を確認する（Ｓ４２）。【０１６２】  そして、機能制限部８４は、この識別情報と機能制限情報９３とに基づき、携帯通信装置６０１が有する機能のうち、禁止されている機能を停止させる（Ｓ４３）。例えば、公衆網との接続ができないように設定し、他の携帯通信装置との通話を禁止する場合、主制御部１１８における機能制限部８４が、第１アンテナを介して行われる基地局５１１との通信を禁止するように通信制御部３を制御する。【０１６３】  また、ステップＳ４０において携帯通信装置６０１では無線ＬＡＮの設定が既に設定済みとなっており、主制御部１１８がＡＰ４００との通信を確立することができる。（Ｓ４４）。【０１６４】  なお、上記ステップＳ４３においてＡＰ４００との接続が禁止されている場合、もしくは、ＡＰ４００との接続が必要とならない場合などではこのこのステップＳ４４の処理は不要となる。【０１６５】  さらに、上記ユーザが移動し、当該携帯通信装置６０１と通信可能となるＡＰ４００が変わる場合、すなわち他のＡＰ４００を発見する場合（Ｓ４５においてＹＥＳ）、ステップＳ４２と同様に、この他のＡＰ４００から受信した識別情報と機能制限情報９３とに基づき、機能制限部８４は禁止機能を確認する（Ｓ４６）。【０１６６】  一方、上記ＡＰ４００と通信可能な範囲に上記携帯通信装置６０１がとどまっている間（Ｓ４５においてＮＯ）は、ステップＳ４３にて禁止した機能を停止させたままとする。【０１６７】  そして、この機能制限部８４は、この識別情報と機能制限情報９３とに基づき、携帯通信装置６０１が有する機能のうち、禁止されている機能の設定を変更させる（Ｓ４７）。そして、機能制御部８４は。この変更後の設定により禁止される機能を停止させる。【０１６８】  また、ユーザが移動し、当該携帯通信装置６０１と通信可能となるＡＰ４００が変わる場合、この携帯通信装置６０１は新たなＡＰとの接続を確立する（Ｓ４８）。ただし、このステップＳ４８において、ＡＰ４００との接続が禁止されている場合、もしくは、ＡＰ４００との接続が必要とならない場合などではこのこのステップＳ４８の処理は不要となる。【０１６９】  またここで、ユーザが移動し、携帯通信装置１の所在が変更し、例えば出口などユーザが退場する場所に設けられたＡＰ４��０の通信可能な範囲に入った場合、携帯通信装置１は、この退場場所のＡＰ４００のビーコン信号を受信する。すなわち、携帯通信装置１は、退場場所にあるＡＰ４００を発見する（Ｓ４９においてＹＥＳ）。【０１７０】  このように、携帯通信装置１が退場場所にあるＡＰ４００を発見する場合、すなわち、この退場場所にあるＡＰ４００の識別情報を受信する場合、受信した識別情報と機能制限情報９３とに基づき、禁止機能として停止されていた携帯通信装置６０１の機能を再開させる（Ｓ５０）。【０１７１】  一方、携帯通信装置１が退場場所にあるＡＰ４００を発見するまで、すなわちステップＳ４９において「ＮＯ」の場合は、ステップＳ４５に戻り処理を繰り返す。【０１７２】  上記図１５および図１８を参照して、ＡＰ４００の通信可能な範囲に携帯通信装置１が入ってきたとき、該ＡＰ４００から受信したビーコン信号に含まれる識別情報に基づき当該携帯通信装置１が有する機能を停止および再開する構成と、ＡＰ４００と接続を確立した後に、該ＡＰ４００から送信された識別情報に基づき当該携帯通信装置１が有する機能を停止および再開する構成とについて、それぞれ別々に説明した。【０１７３】  しかしながら、当該携帯通信装置１では、上記ビーコン信号に含まれる識別情報と、接続を確立したＡＰ４００から受信した識別情報両方とに基づき当該携帯通信装置１が有する機能を停止および再開する構成としてもよい。この場合、図１５において、ステップＳ２０の後に、ＡＰ４００を発見したか否かを確認し、発見できた場合は、該ＡＰ４００のビーコン信号に含まれる識別情報に基づき禁止とされる機能を停止させる。そして、ステップＳ２１においてＡＰ４００との接続を確立し、ＡＰ４００から受信した識別情報に基づき、再度禁止機能を確認し（Ｓ２２）、禁止とされる機能を停止する（Ｓ２３）。【０１７４】  また、ステップＳ２４において接続先のＡＰ４００が変わった場合、この新たなＡＰ４００から受信したビーコン信号に含まれる識別情報に基づき、禁止機能を確認し、禁止とされる機能の設定変更を行う。そして、新たなＡＰ４００との接続を確立し（Ｓ２５）、接続先となるＡＰ４００から受信した識別情報に基づき、再度禁止機能を確認し（Ｓ２６）、禁止とされる機能の設定を変更する（Ｓ２７）。【０１７５】  そして、図１５のステップＳ２８における退場場所のＡＰと接続を確立する前に、退場場所のＡＰ４００を発見したか確認する。ここで退場場所のＡＰ４００を発見した場合は、禁止機能として停止されている機能をすべて再開させる。そして、退場場所のＡＰ４００との接続を確立し、再度禁止機能として停止されている機能をすべて再開したか確認し、確実に機能の再開を実行する（Ｓ２９）。【０１７６】  このように構成される場合、携帯通信装置１とＡＰ４００との間で送受信する電波の状態が悪い場合であっても、確実に携帯通信装置１が有する機能の停止および再開を行うことができる。【０１７７】  あるいは、上記した構成のうちいずれかによって携帯通信装置１が有する機能の停止および再開を実行する構成であってもよい。【０１７８】  このようなＡＰ４００は、電波が拡散しないように、指向性の高いアンテナを使用し、��ーザがそこを通ったときのみ通信が可能にしておくような構成にしておくことが望ましい。また、それ以外のＡＰ４００は、できるだけたくさんのユーザに対して指示情報を通知できるようなアンテナを使用することが望ましい。【０１７９】  このように、上記電子チケットシステム５０１によれば、医療機器への影響、周囲の人に対する騒音、映画館やコンサート会場での盗撮や盗聴などの問題を、使い勝手の低下を抑制しつつ解決することができる。すなわち、例えば、コンサートの主催者側で、盗撮および盗聴を防止したい場所には、この場所に設置されるＡＰ４００に対応する機能制限情報９３に含まれる停止（禁止）機能として、例えばカメラ機能およびボイスレコード機能を含めるようにすれば良く、またコンサート会場内の通話やメール送受信を禁止したい場合には、コンサート会場内に備えられたＡＰ４００に対応する機能制限情報９３に含まれる停止（禁止）機能として、通信機能を含めるようにすれば良い。逆に、コンサート会場の外のホール等では、該ホールに備えられたＡＰ４００に対応する機能制限情報９３に含まれる停止（禁止）機能は、特に禁止される機能を設定しないようにすればよい。【０１８０】  また、このように場所ごとに備えられたＡＰ４００に対応する機能制限情報９３によって、携帯通信装置６００が備える機能を、コンサート会場内、会場外などにおいて適切に停止（禁止）させたり、再開させたりして設定を変更させることができるため、ユーザに対して必要以上の負担を強いることがなく、コンサート会場のホールでの待合せなども行うことができる。【０１８１】  また、上述したシネコンのように、複数の劇場から構成される複合、電子チケットに含まれる無線ＬＡＮ設定情報９２を、無線通信装置６０１を所持するユーザが利用する場所（劇場）にのみ有効となるようにしてもよい。【０１８２】  例えば、ユーザが劇場Ａで上映される映画を鑑賞しに行くとする。この場合、携帯通信装置６０１が電子チケット発券装置１０１から劇場Ａで上映される映画の電子チケットを購入した場合、この電子チケットには、共有空間であるロビーと劇場Ａとに備えられたＡＰ４００に対して接続を確立できる無線ＬＡＮ設定情報９３が含まれる。このようにして、ユーザが利用する場所（劇場）以外では、ＡＰ４００を介して無線通信を行うことができないようにすることもできる。【０１８３】  また、このように携帯通信装置６０１が、ユーザが利用する場所に設けられたＡＰ４００とのみ接続を確立できるように構成されている場合、ＡＰ４００と接続が確立できない場所では、携帯通信装置６０１の表示部１２において、主制御部１８が誤った場所にいる旨を通知する表示を行うように構成されていることが好ましい。【０１８４】  このように、携帯通信装置６０１において通知がなされることで、誤った場所（劇場）にいるユーザに退出を促すことができる。【０１８５】  なお、図１２に示すように、携帯通信装置６０１の基地局５１１を介して行う通信の停止は、電子チケット情報９１に含まれる機能制限情報９３によって指示する構成であったが、これに限定されるものではない。【０１８６】  例えば、無線ＬＡＮ設定部８３が、無線ＬＡＮの設定を行った場���、すなわちＡＰ４００と接続を確立できるように設定した場合、機能制限部８４が、基地局５１１を介して電話回線網５１２を使用して通信を行う機能を停止するように指示する構成であってもよい。すなわち、実施形態１の場合は、機能制限管理装置３００側から、基地局５１１を介して行う通信を停止するように機能制限情報７０に含めて携帯通信装置６００に指示することができた。しかしながら、実施形態２の場合は、接続先のＡＰ４００ａごとに携帯通信装置６００が備える機能のうち停止させられる機能が予め決まっている。このため、無線ＬＡＮ設定部８３が、ＡＰ４００と接続を確立できるように設定を行うと、自動的に、基地局５１１を介して行う通信を停止すように指示する構成とすることもできる。【０１８７】  このように、自動的に、基地局５１１を介して行う通信を停止すように指示する構成の場合、上記図１５に示した処理フローにおけるステップＳ２０にて無線ＬＡＮの設定が完了すると、次のステップで公衆網との接続を停止する。あるいは、上記図１８に示した処理フローにおけるステップＳ４０にて無線ＬＡＮの設定が完了すると、次のステップで公衆網との接続を停止する。【０１８８】  なお、実施形態１の携帯通信装置６００においても、実施形態２と同様に、無線ＬＡＮの設定が行われたら、自動的に、基地局５１１を介して行う通信を停止すように構成してもよい。【０１８９】  なお、上記したように、携帯通信装置６０１において無線ＬＡＮの設定の開始に応じて、基地局２を介し電話回線網５１２を使用して行う通信を停止する構成の場合、図１２に示す機能制限情報９３には、電話機能の実行の許可または禁止を指示する情報を含める必要がない。【０１９０】  また、上記した「機能の停止または再開処理２」において、携帯通信装置６０１が出口に設けられたＡＰ４００と接続を確立した場合、主制御部１１８は、停止していた機能を再開させるように構成されているがこれに限定されるものではない。例えば、電子チケット発券装置１０１から受信した電子チケットに含まれる機能制限情報９３には有効期限が予め設けられ有効期限がすぎると停止されていた機能を全て再開させるように構成されていてもよい。【０１９１】  また、無線ＬＡＮ設定部８３は、設定した無線ＬＡＮの設定の解除を、ユーザからの指示に応じて行ってもよい。あるいは、ユーザが施設から退場する際に、上記電子チケット確認装置にて電子チケットによる退場確認が行われた際に設定される構成であってもよい。すなわち、携帯通信装置６０１はさらにＲＦＩＤ（Ｒａｄｉｏ  Ｆｒｅｑｕｅｎｃｙ  Ｉｄｅｎｔｉｆｉｃａｔｉｏｎ）、赤外線、Ｂｌｕｅｔｏｏｔｈなど、通信可能な距離が比較的短い他の無線通信手段を備え、出口に設けられたゲートなどからこれら無線手段によって、制限されている機能の再開を示す指示を受信する構成であってもよい。これにより、例えば、ユーザがコンサートホール等の施設から退場する際、該施設で有効となるＬＡＮの設定を解除することができる。【０１９２】  また、逆に形態通信装置６０１は、上記した無線手段によって、入り口に設けられたゲートを通過する際、このゲートに備えられている無線手段からの指示に応じてＡＰ４００との無線による接続を確立し、基地局５０１を介して行う通信を禁止するように構成されていてもよい。【０１９３】  これにより、例えば、ユーザがコンサートホール等の施設に入場する際、該施設で有効となる無線ＬＡＮの設定が行われ、また第１アンテナを介して行われる他の通信装置との通信を遮断することができる。【０１９４】  また、携帯通信装置６０１において機能が停止されたり、停止された機能が再開したりするたびに、現在停止されている機能を主制御部１８が表示部１２に表示させてユーザに確認をとらせる構成であってもよい。また、携帯通信装置６０１において機能が停止されたり、停止された機能が再開されたりするたびに、特定のバイブレーションによって、または特定の音をスピーカ５から鳴らしたり、上記携帯通信装置６０１が表示灯として、例えばＬＥＤ（Ｌｉｇｈｔ  Ｅｍｉｔｔｉｎｇ  Ｄｉｏｄｅ）などを備えている場合、この表示灯を点滅してユーザに知らせる構成であってもよい。【０１９５】  また、上記電子チケット発券装置１０１は、販売する電子チケットの中に含める無線ＬＡＮ設定情報９２に予め有効となる期限情報をつけておいてもよい。すなわち、この期限情報を例えばコンサートが行われた日まで、もしくはコンサートが終了した時間までと設定しておくことで、適切に無線ＬＡＮの設定を無効とすることができる。【０１９６】  また、本実施の形態に係る電子チケットシステム５０１では、電子チケットを携帯通信装置６０１が購入し、電子チケットが含む無線ＬＡＮ設定情報９２に基づき、該携帯通信装置６０１がＡＰ４００と無線による接続を確立するようになっているが、上記無線ＬＡＮ設定情報９２の取得方法はこれに限定されるものではない。【０１９７】  例えば、電子チケットとは別に、上記携帯通信装置６００は、基地局５１１を介して、電子チケット発券システム１０１から無線ＬＡＮ設定情報９２を取得する構成であってもよい。この場合、機能制限情報９３も合わせて取得されることが好ましい。さらには、上記携帯通信装置６０１は、購入した上記電子チケットによって劇場または映画館等の施設に入場する際に、基地局５１１を介して電子チケット発券システム１００から無線ＬＡＮ設定情報９２および／または機能制限情報９３を取得してもよい。あるいは、上記携帯通信装置６０１は、さらにＲＦＩＤ（Ｒａｄｉｏ  Ｆｒｅｑｕｅｎｃｙ  Ｉｄｅｎｔｉｆｉｃａｔｉｏｎ）、赤外線、Ｂｌｕｅｔｏｏｔｈなど、通信可能な距離が比較的短い他の無線通信手段をさらに備え、購入した上記電子チケットによって劇場または映画館等の施設に入場する際に、この無線通信手段によって、無線ＬＡＮ設定情報９２および／または機能制限情報９３を取得してもよい。このように他の無線通信手段によって無線ＬＡＮ設定情報９２および／または機能制限情報９３を取得する場合、この無線通信手段が取得した無線ＬＡＮ設定情報９２を主制御部１８に送信することで、無線ＬＡＮの設定を実現することができる。【０１９８】  もしくは、ユーザが購入した上記電子チケットによって劇場または映画館等の施設に入場する際に、無線ＬＡＮ設定情報９２および／または機能制限情報９３が記録されたＱＲ（Ｑｕｉｃｋ  Ｒｅｓｐｏｎｓｅ）コード��登録商標）などの２次元コードが印刷された用紙を渡される。そして、このＱＲコードから携帯通信装置６０１が無線ＬＡＮ設定情報９２および／または機能制限情報９３を取得してもよい。なお、このＱＲコードから無線ＬＡＮ設定情報９２および／または機能制限情報９３を取得する場合、携帯通信装置６０１は、さらにＱＲコードの読取り部を備え、読取った情報を主制御部１８に送信することで無線ＬＡＮの設定および機能制限情報９３の取得を実現することができる。【０１９９】  また、携帯通信装置６０１は、電子チケットを購入した際に指定されたＷＥＢサイトにアクセスし、該ＷＥＢサイトから無線ＬＡＮ設定情報９２および／または機能制限情報９３を取得してもよい。あるいは、電子チケット発券装置１０１が、電子チケットの購入時に携帯通信装置６０１からメールアドレスを取得し、該メールアドレスに対してメールの添付ファイルとして上記無線ＬＡＮ設定情報９２および／または機能制限情報９３を送信する。そして携帯通信装置６０１は、このメールを受信することで無線ＬＡＮ設定情報９２および機能制限情報９３を取得してもよい。【０２００】  また、例えば、映画などのように映画館において１日に複数回上映が行われる場合、電子チケット発券装置１０１は、電子チケットに含まれる無線ＬＡＮ設定情報９２および／または機能制限情報９３を上映回ごとに異なる情報とする構成であってもよい。この場合、この映画館において備えられるＡＰ４００の設定も上映回ごとに異なるように変更する。【０２０１】  また、携帯通信装置６０１が無線ＬＡＮ設定情報９２を取得した場合、その無線ＬＡＮの設定に関する説明を表示部１２に表示するようにしてもよい。そして、表示する説明のメッセージ等の内容は、電子チケット情報９１に含めて電子チケット発券装置１０１から送信し、携帯通信装置６００に格納し、表示する際に電子チケット情報９１から抽出してもよい。これにより、ＬＡＮの設定方法の説明を、表示部１２に表示させることができるため、該ＬＡＮの設定をユーザに説明することができ、ユーザは該ＬＡＮの設定を容易に設定することができる。【０２０２】  また、本実施の形態に係る電子チケットシステム５０１において、携帯通信装置６０１は、購入した電子チケットの内容を、当該携帯通信装置６０１の表示部１２に表示されるように構成されていることが好ましい。【０２０３】  実施の形態２でも詳細に説明したが、実施の形態１および実施の形態２で示した携帯通信装置６００・６０１において、ＡＰ４００との接続が確立してから、機能を制限するようにしていたが、ＡＰ４００を発見したら機能の制限をするようにしても良い。例えば、ＡＰ４００ａからのビーコンを受信することによって、ＡＰ４００ａに対応した機能を禁止するようにしても良い。ＡＰの通信範囲に入ることで機能を変更するということをするだけでよく、アルゴリズムの短縮が図られる。【０２０４】  実施の形態１および実施の形態２で示した携帯通信装置６００・６０１において、ある機能が禁止されているのであれば、内蔵時計１９の変更をすることを禁止する方がよい。そうしなければ、内蔵時計１９を変更することによって、禁止されていた機能が解除されてしま��場合が考えられるからである。また、機能制限管理装置３００や電子チケット発券装置１０１と携帯通信装置６００・６０１における時計は、同じ時刻を示していることが望ましい。これらの装置の時計を合わせる方法は、どのようなものでも良く、任意の方法が使用される。【０２０５】  最後に、実施形態１および実施形態２において示した、電子チケット発券装置１００・１０１、接続管理サーバ２００、機能制限管理装置３００、中継装置４００ａ〜中継装置４００ｂ、携帯通信装置６００・６０１、特に携帯通信装置６００・６０１の電子チケット管理部８１、情報抽出部８２、無線ＬＡＮ設定部８３、機能制限部８４、機能制限情報取得部８５は、ハードウェアロジックによって構成してもよいし、次のようにＣＰＵを用いてソフトウェアによって実現してもよい。【０２０６】  すなわち、電子チケット発券装置１００・１０１、接続管理サーバ２００、機能制限管理装置３００、中継装置４００ａ〜４００ｃ、携帯通信装置６００・６０１は、各機能を実現する制御プログラムの命令を実行するＣＰＵ（ｃｅｎｔｒａｌ  ｐｒｏｃｅｓｓｉｎｇ  ｕｎｉｔ）、上記プログラムを格納したＲＯＭ（ｒｅａｄ  ｏｎｌｙ  ｍｅｍｏｒｙ）、上記プログラムを展開するＲＡＭ（ｒａｎｄｏｍ  ａｃｃｅｓｓ  ｍｅｍｏｒｙ）、上記プログラムおよび各種データを格納するメモリ等の記憶装置（記録媒体）などを備えている。そして、本発明の目的は、上述した機能を実現するソフトウェアである電子チケット発券装置１００・１０１、接続管理サーバ２００、機能制限管理装置３００、中継装置４００ａ〜４００ｃ、携帯通信装置６００・６０１の制御プログラムのプログラムコード（実行形式プログラム、中間コードプログラム、ソースプログラム）をコンピュータで読み取り可能に記録した記録媒体を、電子チケット発券装置１００・１０１、接続管理サーバ２００、機能制限管理装置３００、中継装置４００ａ〜４００ｃ、携帯通信装置６００・６０１に供給し、そのコンピュータ（またはＣＰＵやＭＰＵ）が記録媒体に記録されているプログラムコードを読み出し実行することによっても、達成可能である。【０２０７】  上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０２０８】  また、電子チケット発券装置１００・１０１、接続管理サーバ２００、機能制限管理装置３００、中継装置４００ａ〜４００ｃ、携帯通信装置６００・６０１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（ｖｉｒｔｕａｌ  ｐｒｉｖａｔｅ  ｎｅｔｗｏｒｋ）、電話回線網、移動体通信網、衛星通信網等が利用可能である。また、��信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。【０２０９】  本発明に係る機能管理システムは、以上のように、通信装置と、上記通信装置が有する機能のうち少なくとも一部の機能を制御させる指示情報を、上記通信装置に送信する管理装置と、上記管理装置と通信可能に接続されており、該管理装置と上記通信装置との通信を中継する中継装置とを備えたシステムであって、上記管理装置が、上記中継装置に対して指示情報を送信しており、上記通信装置が上記中継装置と接続を確立した場合、上記管理装置から送信される指示情報に基づき、当該通信装置が備える機能を制御する構成である。【０２１０】  なお、上記指示情報とは、例えば、通信装置が有する機能のうちいずれの機能について停止もしくは再開させるかなど指示する情報である。【０２１１】  また、本発明に係る機能管理システムは、上記した構成において、上記中継装置は複数備えられており、上記管理装置が、上記各中継装置に対してそれぞれ異なる指示情報を送信するように構成されていることが好ましい。【０２１２】  上記の構成によれば、管理装置は、各中継装置に対してそれぞれ異なる指示情報を送信するため、通信装置は、接続を確立した中継装置ごとに応じて、異なる指示情報を受信することになる。すなわち、上記通信装置は、上記複数の中継装置のうちいずれと接続を確立するかに応じて、自装置が備える機能が制御される制御状態が異なる。【０２１３】  このように、上記中継装置それぞれが備えられている場所ごとに、通信装置は異なる指示情報を受信することができるため、本発明に係る機能管理システムでは、場所に応じて通信装置が有する機能が制御されている状態を変更させることができる。【０２１４】  したがって、本発明に係る機能管理システムは、場所に応じて通信装置が有する機能を柔軟に制御することができる。【０２１５】  、また、本発明に係る機能管理システムは、上記した構成において、上記管理装置が、上記指示情報を記憶する管理記憶装置と、上記管理記憶装置に記憶された指示情報の中から各中継装置に送信すべき指示情報を選択する選択手段とを備えていてもよい。【０２１６】  上記構成によれば、管理装置は、選択手段を備えているため、管理記憶装置に記憶されている指示情報の中から通信装置に送信する指示情報を選択することができる。このため、機能管理システムは、中継装置と接続を確立している通信装置に対して適切に選択した指示情報を送信することによって、通信装置は、この指示情報に基づき、当該通信装置が備える機能のうち所望される機能を停止または再開させるなど制御することができる。【０２１７】  したがって、本発明に係る機能管理システムは、通信装置を取り巻く周囲の状況に応じて、適切に当該通��装置の機能を制御することができる。【０２１８】  また、本発明に係る機能管理システムは、上記した構成において、上記管理装置が、外部から入力された、選択される指示情報を示す選択情報を受け付ける入力受付手段をさらに備え、上記選択手段が、上記入力受付手段によって受け付けられた選択情報に基づき、選択する指示情報を変更するように構成されていることが好ましい。【０２１９】  上記外部から入力された、選択される指示情報とは、例えば、ユーザによって指示された指示情報、あるいは上映される映画の映像の開始または音声が流れはじめる時点等、提供されるサービスの状況に応じて、該状況の変化を示す情報などが含まれる。【０２２０】  上記機能管理システムでは、入力受付手段によって受け付けた、上記外部から入力された、選択される指示情報に基づき、選択手段が、指示情報を選択できるため、管理装置は、中継装置に送信する指示情報を柔軟に変更させることができる。【０２２１】  したがって、本発明に係る機能管理システムは、管理装置側から通信装置が有する機能の制限を柔軟に変更させることができるため、通信装置を取り巻く周囲の状況に応じて、適切に当該通信装置の機能を制御することができる。【０２２２】  また、本発明に係る機能管理システムは、上記した構成において、上記選択手段が、選択する指示情報を時間に応じて変更するように構成されていることが好ましい。【０２２３】  上記の構成によれば、管理装置は各中継装置に送信する指示情報を時間に応じて変更することができるため、通信装置は同じ中継装置と接続している場合であっても、時間ごとに異なる指示情報を受信することができる。【０２２４】  このため、本発明に係る制限システムは、上記通信装置が同じ場所にある場合であっても、時間に応じて、通信装置が有する機能のうち、停止または再開させるなど制御される機能を変更することができる。【０２２５】  したがって、本発明に係る機能管理システムは、場所と時間とに応じて柔軟に通信装置が有する機能を制御することができる。【０２２６】  また、本発明に係る機能管理システムは、上記した構成において、上記管理記憶装置は、指示情報と指示情報を送信する期間との対応関係を示す指示情報送信テーブルをさらに記憶しており、上記選択手段は、上記指示情報送信テーブルを参照して、所定の期間ごとに送信すべき指示情報を選択するように構成されていてもよい。【０２２７】  上記構成によれば、本発明に係る機能管理システムでは、上記選択手段が指示情報送信テーブルを参照して所定の期間ごとに送信すべき指示情報を選択することができる。よって、機能管理システムでは、所定の期間において、通信装置が有する機能のうち制御する機能の状態を変更させることができる。【０２２８】  したがって、本発明に係る機能管理システムは、場所と所定の期間とに応じて柔軟に通信装置が有する機能を制御することができる。【０２２９】  また、本発明に係る機能管理システムは、上記した構成において、チケット情報を含む電子チケットを通信装置に送信する電子チケット発券装置をさらに備え、上記電子チケット発券装置は、上記電子チケットに、上記中継装置との接続を確立させるための設定情報をさら��含めて通信装置に送信するように構成されていることが好ましい。【０２３０】  上記構成によれは、上記機能管理システムは、通信装置に対して、送信する電子チケットにチケット情報に加えて設定情報を含めて送信することができる。このため、通信装置は、この受信した電子チケットによって入場する施設に設けられている中継装置と接続を確立することができる。すなわち、上記施設に入場するユーザが所持する通信装置は、この施設に設けられた中継装置と接続を確立することができるため、この中継装置を介して、管理装置からの指示情報を受信することができる。【０２３１】  したがって、本実施の形態に係る機能管理システムは、電子チケットによって入場した入場者が所持する通信装置が備える機能を場所または所定時間に応じて柔軟に制限することができる。【０２３２】  また、本発明に係る中継装置は、上記した機能管理システムを構成している。【０２３３】  また、本発明に係る管理装置は、上記した機能管理システムを構成している。【０２３４】  また、本発明に係る通信装置は、上記した機能管理システムを構成している。【０２３５】  また、本発明に係る通信装置は、以上のように、当該通信装置が有する機能の少なくとも１つを制御させる指示情報を保持する管理装置と通信を行う第１通信手段と、上記第１通信手段によって取得した指示情報に基づき、当該通信装置が有する機能の少なくとも１つを制御する機能制御手段と、上記機能制御手段によって制御された機能の状態変化を示す情報を通知する通知手段とを備える構成である。【０２３６】  また、本発明に係る通信装置は、上記した構成において、上記通信手段は、さらに上記第１通信手段とは異なる種類の通信を行う第２通信手段を備えていることが好ましい。【０２３７】  また、本発明に係る通信装置は、以上のように、通信ネットワークと通信可能に接続されている複数の中継装置のうち、いずれかの中継装置と接続を確立する通信装置であって、上記中継装置は、自身を特定する識別情報を送信しており、当該通信装置が備える機能のうち少なくとも１つを制御させる指示情報と、上記中継装置を識別する識別情報とを互いに対応づけて記憶する通信記憶装置と、接続先の中継装置から受信した識別情報に基づき、上記通信記憶装置から指示情報を取得する指示情報取得手段と、上記指示情報取得手段によって取得された指示情報に基づき、当該通信装置が備える機能を制御する機能制御手段とを備える構成である。これによると、上記通信装置は、接続先の中継装置ごとに応じて、自装置が備える機能を停止または再開するなど制御することができる。このため、上記通信装置は、上記中継装置が設けられている場所に応じて、停止させる自装置の機能を変更することができる。【０２３８】  また、本発明に係る通信装置は、以上のように、通信ネットワークと通信可能に接続されている複数の中継装置のうち、いずれかの中継装置と接続を確立する通信装置であって、当該通信装置が備える機能のうち少なくとも１つを制御させる指示情報と、上記中継装置を識別する識別情報とを互いに対応付けて記憶する通信記憶装置と、接続先の中継装置から受信した識別情報に基づき、上記通信記憶装置から指示情報を取��する指示情報取得手段と、上記指示情報取得手段によって取得された指示情報に基づき、当該通信装置が備える機能を制御する機能制御手段とを備え、指示情報を取得した後に、無線通信が確立できない場合には、禁止できる機能の全ての機能を禁止することを特徴としている。【０２３９】  また、本発明に係る通信装置は、上記した構成において、上記機能制御手段によって制御された機能の状態変化を示す情報を通知する通知手段をさらに備えるように構成されていることが好ましい。【０２４０】  上記構成によると、上記通信装置は、通知手段を備えているため制御された機能の状態変化を通信装置の所有者に知らせることができる。【０２４１】  したがって、上記所有者は、通信装置が有する機能の制御の状態が変更された場合であっても、変更に伴って使用できる機能について把握することができる。【０２４２】  また、本発明に係る通信装置は、上記した構成において、上記中継装置と通信を行う第１通信手段と、上記第１通信手段とは異なる種類の通信を行う第２通信手段とを備えている構成であってもよい。【０２４３】  また、本発明に係る通信装置は、上記した構成において、上記通信装置が有する機能は、上記第１通信手段とは異なる種類の通信を行う機能、カメラ機能、および／またはボイスレコーダ機能であることを特徴としている。【０２４４】  また、本発明に係る通信装置は、上記した構成において、上記通信装置が備える機能は、上記中継装置との通信とは異なる種類の通信を行う機能、カメラ機能、および／またはボイスレコーダ機能であることを特徴としている。【０２４５】  また、本発明に係る通信装置は、上記した構成において、上記禁止できる機能は、上記中継装置との通信とは異なる種類の通信を行う機能、カメラ機能、および／またはボイスレコーダ機能であることを特徴としている。【０２４６】  また、本発明に係る通信装置の制御方法は、以上のように、通信ネットワークと通信可能に接続されている複数の中継装置のうちいずれかと接続を確立して上記通信ネットワークを通じて他の通信装置と通信可能となる通信装置の制御方法であって、上記中継装置は、自身を特定する識別情報を送信しており、当該通信装置が備える機能のうち少なくとも１つを制御させる指示情報と、接続先の中継装置を識別する識別情報とを互いに対応づけて記憶する記憶ステップと、接続先の中継装置から識別情報を受信する識別情報受信ステップと、識別情報受信ステップにおいて受信した識別情報に基づき、上記指示情報を取得する指示情報取得手段と、上記指示情報取得手段によって取得された指示情報に基づき、当該通信装置が備える機能を制御する制御ステップとを含む方法である。【０２４７】  また、本発明に係る機能管理システムは、以上のように、上記通信装置と、通信ネットワークと通信可能に接続されている複数の中継装置とを備えている構成である。【０２４８】  また、本発明に係る機能管理システムは、上記した構成において、チケット情報を含む電子チケットを通信装置に送信する電子チケット発券装置をさらに備え、上記電子チケット発券装置は、上記中継装置との接続が確立した場合に、該中継装置に応じて決められている、通信装置が備える機能のうち少なくとも１つ以上の機能を制御させる指示情報を、上記電子チケットにさらに含めて通信装置に送信するように構成されていることが好ましい。【０２４９】  上記構成によれば、本発明に係る機能管理システムは、通信装置に対して送信する電子チケットに、チケット情報に加えてさらに指示情報を含めて送信することができる。このため、通信装置は、この受信した電子チケットによって入場する施設に設けられている中継装置と接続を確立する場合、この中継装置に応じて決められている指示情報によって、自装置が備える機能を制御する。すなわち、上記施設に入場するユーザが所持する通信装置は、この施設に設けられた中継装置と接続を確立すると、この接続を確立した中継装置に応じて、自装置が備える機能を制御する。【０２５０】  したがって、本実施の形態に係る機能管理システムは、電子チケットによって入場した入場者が所持する通信装置が備える機能を場所または所定時間に応じて柔軟に制限することができる。【０２５１】  なお、上記管理装置、通信装置は、コンピュータによって実現してもよく、この場合には、コンピュータを上記各手段として動作させることにより上記印刷装置をコンピュータにて実現させる印刷装置の制御プログラムを記録したコンピュータ読取り可能な記録媒体も、本発明の範疇に入る。【０２５２】  本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２５３】  本発明の機能管理システムは、通信装置が備える機能を場所に応じて適切に柔軟に制御できるため、通信装置の使用を制限したい施設やイベント等の会場において広く適用可能であり、特に、病院、交通機関、映画館、コンサート会場等の通信装置が有する機能に対して制限を行うシステムとして好適である。
【図１】
0004451447.tif 000002
【図２】
0004451447.tif 000003
【図３】
0004451447.tif 000004
【図４】
0004451447.tif 000005
【図５】
0004451447.tif 000006
【図６】
0004451447.tif 000007
【図７】
0004451447.tif 000008
【図８】
0004451447.tif 000009
【図９】
0004451447.tif 000010
【図１０】
0004451447.tif 000011
【図１１】
0004451447.tif 000012
【図１２】
0004451447.tif 000013
【図１３】
0004451447.tif 000014
【図１４】
0004451447.tif 000015
【図１５】
0004451447.tif 000016
【図１６】
0004451447.tif 000017
【図１７】
0004451447.tif 000018
【図１８】
0004451447.tif 000019